(57)【特許請求の範囲】
【請求項１】
回路基板の裏面を被覆し且つ該回路基板を支持する透明合成樹脂製の取付主体と、該取付主体に対して前記回路基板の表面を被覆するように取り付けられる透明合成樹脂製の蓋体とからなる基板収容ボックスを備えた遊技機において、
前記蓋体には、前記回路基板の表面に実装されるコネクタ実装領域を覆い且つコネクタに対応する部分にコネクタを貫通させる開口を形成した覆板を一体形成し、
前記取付主体と前記蓋体には、前記覆板の開口が前記コネクタの上方位置を保持した状態で前記蓋体を前記取付主体に対して横方向にスライドさせた後、前記コネクタが前記開口を貫通するように前記蓋体を前記取付主体に近接するように移動させることにより係合するようになる係合部を相互に形成すると共に、その係合させた状態で一部を破壊しない限り係合状態を解除できない固着手段で前記取付主体と前記蓋体とを固着する固着部を形成したことを特徴とする遊技機。
【請求項２】
前記取付主体と前記蓋体とで前記回路基板を被覆した状態においては、全外周の側面から見て前記取付主体の外周側壁と前記蓋体の外周側壁とが重畳するようになっていることを特徴とする請求項１記載の遊技機。
【発明の詳細な説明】
【０００１】
【発明の属する技術分野】
本発明は、回路基板を被覆支持する透明合成樹脂製の取付主体と、該取付主体に対して前記回路基板を被覆するように取り付けられる透明合成樹脂製の蓋体とからなる基板収容ボックスを備えた遊技機に関するものである。
【０００２】
【従来の技術】
従来、遊技機、例えば、パチンコ玉を弾発して遊技を行う弾球遊技機においては、遊技動作を制御する主基板（回路基板）を収容する主基板ボックス（基板収容ボックス）を、主基板を被覆支持する透明合成樹脂製のボックス状主体（取付主体）と透明合成樹脂製のカバー体（蓋体）とから構成したものが数多く提案されている。そして、このような主基板ボックスの多くは、コネクタ実装領域が外部に露出して被覆された構成となっているが、近年、この外部に露出したコネクタ実装領域の基板上の配線パターンに不正改造した回路基板の配線を接続するという不正行為が散見されるようになってきたため、コネクタ実装領域も被覆することが要望されている。しかして、コネクタ実装領域を被覆するためには、ボックス状主体とカバー体とで形成される空間内にコネクタ実装領域を完全に入れ、その入れたコネクタに予め配線を接続し、その配線を主基板ボックスから導き出す構造にするか、あるいは、コネクタが貫通する開口が形成された覆板をボックス状主体とカバー体とは別体に設け、ボックス状主体とカバー体とを組み付ける際にその覆板を外部に露出したコネクタ実装領域を覆うように一緒に組み付けることが考えられる。
【０００３】
【発明が解決しようとする課題】
しかし、前者の構造では、メンテナンス時に主基板から配線を取り外すことができないので、作業が面倒であるという欠点があり、また、後者の場合には、ボックス状主体とカバー体との組付け以外に覆板の組付け作業が必要となり、組付け作業が面倒であるという欠点がある。本発明は、上記した欠点を解消するためになされたもので、その目的とするところは、コネクタの脱着が自由で且つ組付け作業が容易な基板収容ボックスを備えた遊技機を提供することにある。
【０００４】
【課題を解決するための手段】
上記した目的を達成するために、請求項１の発明においては、回路基板の裏面を被覆し且つ該回路基板を支持する透明合成樹脂製の取付主体と、該取付主体に対して前記回路基板の表面を被覆するように取り付けられる透明合成樹脂製の蓋体とからなる基板収容ボックスを備えた遊技機において、前記蓋体には、前記回路基板の表面に実装されるコネクタ実装領域を覆い且つコネクタに対応する部分にコネクタを貫通させる開口を形成した覆板を一体形成し、前記取付主体と前記蓋体には、前記覆板の開口が前記コネクタの上方位置を保持した状態で前記蓋体を前記取付主体に対して横方向にスライドさせた後、前記コネクタが前記開口を貫通するように前記蓋体を前記取付主体に近接するように移動させることにより係合するようになる係合部を相互に形成すると共に、その係合させた状態で一部を破壊しない限り係合状態を解除できない固着手段で前記取付主体と前記蓋体とを固着する固着部を形成したことを特徴とするものである。このように構成することにより、取付主体と蓋体とを組み付けるだけでコネクタ実装領域の配線パターン部分が蓋体に一体形成される覆板によって被覆されて不正な配線接続を防止し、しかも取付主体と蓋体との組付けは、予め係合部で係合させているので、最終的に固着部に固着される固着手段だけで組み付けられるため、組付け作業が容易であり、更に、コネクタが覆板の開口から外部に露出しているので、回路基板に対する配線の接続・取り外しを極めて簡単に行うことができる。また、一部を破壊しない限り係合状態を解除できない固着手段で取付主体と蓋体とを固着する固着部を形成したので、不正な配線接続等の不正行為を行うには、基板収容ボックスの一部を破壊しなければならないが、破壊したときには、その痕跡が残るため、簡単に係合状態を解除することはできず、この点から見ても不正行為を確実に防止することができる。
【０００５】
また、係合部は、覆板の開口が前記コネクタの上方位置を保持した状態で蓋体を取付主体に対して横方向にスライドさせた後、コネクタが開口を貫通するように蓋体を取付主体に近接するように移動させることにより係合するようになる構造とすることにより、コネクタの外形形状に合致した開口をコネクタに貫通させながら取付主体と蓋体とを係合させることができ、開口とコネクタとの間の隙間から不正な配線を接続することができない。
【０００７】
更に、請求項２の発明においては、前記取付主体と前記蓋体とで前記回路基板を被覆した状態においては、全外周の側面から見て前記取付主体の外周側壁と前記蓋体の外周側壁とが重畳するようになっていることにより、内部に収容される回路基板と平行方向から取付主体と蓋体との隙間に異物を挿入することができないため、不正行為を防止することができる。
【０００８】
【発明の実施の形態】
（１）弾球遊技機の概略説明
以下、図面を参照して、本発明の実施形態について説明する。まず、図１及び図２を参照して弾球遊技機１の全体の概略構成について説明する。図１は、実施形態に係る弾球遊技機１の正面図であり、図２は、弾球遊技機１の背面図である。
【０００９】
弾球遊技機１は、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられるガラス板保持枠４とから構成されている。また、前面枠３に設けられる主要構成部としては、上記したガラス板保持枠４、遊技盤６０、上皿１９、灰皿２９を含む下皿２７、操作ハンドル３０、機構板１１０、打球発射装置４２がある。また、図示の実施形態では、弾球遊技機１の側方に遊技者に遊技玉を貸し出すためのカードユニット装置３１が付設されている。
【００１０】
ガラス板保持枠４には、後述する遊技盤６０の遊技領域６１をほぼ透視し得る円形透視窓５が開設され、該円形透視窓５の裏面からガラス板が装着されている。また、ガラス板保持枠４には、円形透視窓５の外周に沿って、装飾ランプ６〜８が設けられ、中央の装飾ランプ７の上部に装飾ＬＥＤ１１が設けられている。この装飾ランプ６〜８及び装飾ＬＥＤ１１は、遊技状態に応じて点灯又は点滅されるものであり、特別の遊技状態の発生時や継続時を遊技者に報知すると共に遊技の雰囲気を盛り上げるものである。また、ガラス板保持枠４の軸支側上部には、払い出すべく賞球が不足したこと（後述する球切れスイッチ１２６が作動したとき）を報知する玉切れランプ９（なお、球切れスイッチ１１６が作動したときも玉切れランプ９により報知する）や、入賞玉の発生に基づいて所定個数の賞球が払い出されたことを報知する賞球ランプ１０が設けられ、更に、ガラス板保持枠４の上部左右に遊技の進行に応じた効果音を発生するスピーカ１２ａ，１２ｂが設けられている。また、スピーカ１２ａ，１２ｂの周囲には、装飾ＬＥＤ１３，１４が設けられている。
【００１１】
上記した装飾ランプ６〜８、玉切れランプ９、賞球ランプ１０、装飾ＬＥＤ１１，１３，１４は、後に詳述する図５に示すように、それぞれプリント配線基板で構成されるランプ基板６ａ，７ａ，８ａ，９ａ，１０ａやＬＥＤ基板１１ａ，１３ａ，１４ａに実装されて前面枠３の前面側やガラス板保持枠４の裏面側に取り付けられている。そして、各ランプ基板６ａ，７ａ，８ａ，９ａ，１０ａが電飾中継基板１５（図５において電飾中継基板Ｂと表示）に接続され、各ＬＥＤ基板１１ａ，１３ａ，１４ａが電飾中継基板１６（図５において電飾中継基板Ｃと表示）に接続されている。電飾中継基板１５，１６は、前面枠３の裏面下部に取り付けられる中継基板取付台４９に止着される電飾中継基板５０（図５において、電飾中継基板Ａと表示）に接続された後、後述する電飾制御基板１０１に接続されている。電飾制御基板１０１は、後述する遊技制御基板としての主基板１８１からの情報信号の種類に応じて上記した装飾ランプ６〜８、玉切れランプ９、賞球ランプ１０、装飾ＬＥＤ１１，１３，１４を表示制御するものである。なお、電飾中継基板１５は、前面枠３の前面側に取り付けられ（これに対応してランプ基板も前面枠３の前面側に取り付けられている）、電飾中継基板１６は、ガラス板保持枠４の裏面側に取り付けられている（これに対応してＬＥＤ基板もガラス板保持枠４の裏面側に取り付けられている）。そして、電飾中継基板１５及び電飾中継基板１６と電飾中継基板５０に接続される配線は、前面枠３の開放側上下に形成される配線通し開口（図示しない）を貫通させて前面枠３の裏面側に導かれて接続されるものである。
【００１２】
なお、図示しないが、ガラス板保持枠４を開放したことを検出するためにドアスイッチが設けられることがあるが、この場合には、ドアスイッチの配線は、後述するサンパック中継基板１４２に一旦接続された後、主基板１８１に入力され、主基板１８１からの情報信号に基づいて電飾制御基板１０１によって一部又は全部のランプ６〜８、９、１０を点灯制御されることによりガラス板保持枠４が開放されたことを報知するようになっている。
【００１３】
また、前記スピーカ１２ａ，１２ｂから延びる配線は、ガラス板保持枠４の上方左右裏面に取り付けられる効果音中継基板１７ａ，１７ｂ（図５において、効果音中継基板Ｂ，Ｃと表示）に一旦接続され、その後、前面枠３の裏面下部に取り付けられる中継基板取付台４９に止着される効果音中継基板５１（図５において、効果音中継基板Ａと表示）に接続された後、後述する効果音制御基板１０３に接続されている。効果音制御基板１０３は、主基板１８１からの情報信号の種類に応じてスピーカ１２ａ，１２ｂを駆動制御するものである。
【００１４】
次に、ガラス板保持枠４の下部で開閉自在に取り付けられる上皿１９の構成について説明すると、上皿１９は、合成樹脂製の上皿開閉板１８の表面に複数の合成樹脂製部材を組合せた皿部材を固着することにより構成されている。上皿開閉板１８には、その開放側の上端に玉抜き操作レバー２１が設けられている。この玉抜き操作レバー２１は、左右方向に移動可能に設けられ、図示しないスプリングの付勢力に抗して一方向に移動させることにより、上皿１９に貯留されていた玉を上皿開閉板１８の裏面に形成される玉抜き路（図示しない）を流下させて下皿２７に誘導するものである。また、上皿１９には、その内部に圧電ブザー２２が内蔵されている。この圧電ブザー２２は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。なお、圧電ブザー２２は、図６に示すように圧電ブザー基板２２ａを介して後述する払出制御基板１５１に接続されている。
【００１５】
上記した上皿１９について、さらに詳細に説明すると、上皿１９は、その上流側に形成される賞球払出口２０から払い出された賞球を一旦貯留した後、図示しない発射位置に玉を供給するものである。また、上皿１９には、弾球遊技機１に隣接して設けられるカードユニット装置３１を介して遊技玉を借り受ける際に操作する操作部が設けられている。操作部として図１に図示しないが、図６に示すように、球貸スイッチ２４と返却スイッチ２５と残高表示器が実装される残高表示基板２３が上皿１９の上面に臨むように設けられている。
【００１６】
球貸スイッチ２４は、カードユニット装置３１によって遊技玉を借り受ける際に操作するものであり、返却スイッチ２５は、遊技終了の際にカードユニット装置３１のカード挿入口３４に差し込まれたカードを返却するためのものである。また、残高表示器は、カードユニット装置３１のカード挿入口３４に差し込まれたカードの残額が表示されるものである。なお、上皿１９に設けられる上記した球貸スイッチ２４、返却スイッチ２５、残高表示器が実装される残高表示基板２３から延びる上皿配線は、前面枠３の軸支側の下部に形成される配線通し開口（図示しない）から前面枠３の裏側に引き出されて後述する払出制御基板１５１に接続されている。
【００１７】
更に、上皿開閉板１８の開放側上部には、前記ガラス板保持枠４を前面枠３に対して施錠し且つ前記前面枠３を外枠に対して施錠する施錠装置３９（図２参照）を操作するためのシリンダー錠２６が臨んでいる。
【００１８】
また、前面枠３の下部に取り付けられる下皿２７は、前記上皿１９から溢れた賞球であって後述する機構板１１０に形成される余剰球通路（図示しない）を介して下皿用開口４７（図２参照）から排出される余剰の賞球を貯留するものであり、その下皿２７の前面壁には、玉抜き操作レバー２８がスライド可能に取付けられるようになっている。この玉抜き操作レバー２８を操作することにより、下皿２７に貯留されていた賞球を下方に玉抜きして持ち運び可能な玉箱に移し替えることができる。また、下皿２７の左側には、灰皿２９が設けられ、右側には、操作ハンドル３０が設けられている。操作ハンドル３０は、図２に示す打球発射装置４２の発射装置電動機４３（モータ）の駆動を開始せしめる単発発射スイッチ４５及びタッチセンサ４６（共に図６に符号だけ表示した）を内蔵していると共に、弾発力を調節するものである。
【００１９】
弾球遊技機１の正面構造は、概ね上記した通りであるが、図示の実施形態では、弾球遊技機１にカードユニット装置３１が隣接されている。このカードユニット装置３１は、前記上皿１９の上面に設けられる前述した球貸スイッチ２４や返却スイッチ２５等の操作部を操作することにより作動されるものである。しかして、カードユニット装置３１は、使用可能状態であるか否かを表示する使用可能表示器３２と、当該カードユニット装置３１がいずれの側の弾球遊技機１に対応しているか否かを表示する連結台方向表示器３３と、記録媒体としての磁気カードを挿入するカード挿入口３４とが設けられている。そして、このように構成されるカードユニット装置３１は、独自の制御回路によって制御されるものであるが、後述する払出制御基板１５１とカードユニット配線３５を介して接続されている。なお、カードユニット装置３１を弾球遊技機１に内蔵しても良い。また、本実施形態においては、遊技者に遊技玉を貸し出すためのユニット装置としてカードユニット装置３１を例示したが、例えば、紙幣等を挿入し得るユニット装置であっても良い。また、カードユニット装置３１には、弾球遊技機１の電源コード１２０とは別の独立した電源コード３１ａ（図６参照）によって電源が供給されている。
【００２０】
一方、弾球遊技機１の背面には、図２に示すように、入賞玉の発生に基づいて所定個数の賞球を払い出すための各種の機構を装備した機構板１１０が設けられると共に、前記操作ハンドル３０に対応する裏面には、発射装置電動機４３及び打球槌（図示しない）を有する打球発射装置４２が固着され、その打球発射装置４２の側方には、機構板１１０の余剰球通路を流下する賞球を前記下皿２７に誘導する接続樋（図示しない）が固着される下皿用開口４７が開設され、更に、接続樋の側方に中継基板取付台４９が取り付けられ、外枠２に対する前面枠３の開放側裏面に外枠２の掛止片４０に対する前面枠３の施錠及び前面枠３に対するガラス板保持枠４の施錠を行う施錠装置３９が設けられている。
【００２１】
上記した構成のうち、打球発射装置４２には、発射制御基板４４が付設されており、この発射制御基板４４によって打球発射装置４２が駆動制御されるようになっている。なお、発射制御基板４４は、図示しない発射制御基板カバーによって被覆されており、この発射制御基板カバーから外部に露出している位置に設けられるコネクタを介して図６に示すように後述する払出制御基板１５１と接続されており、所定の状態となったときに払出制御基板１５１から停止信号をうけて打玉の発射を行えないようになっている。また、下皿２７の後方に対応する下皿用開口４７に上記した図示しない接続樋が固着されるが、接続樋を固着する際には、アース用導電線４８が外枠２に対する前面枠３の開閉金具との間に敷設されるように取り付けられている。また、中継基板取付台４９には、電飾中継基板５０と効果音中継基板５１と発射制御信号中継基板５２と発生制御電源中継基板５３とが所定の位置に取り付けられている。この中継基板取付台４９については、配線図に係る説明の欄で詳述する。
【００２２】
以上で、弾球遊技機１の全体の概略構成を説明したが、以下、弾球遊技機１を構成する要素のうち、遊技盤６０と、機構板１１０の詳細な構成について順次説明する。
【００２３】
（２）遊技盤の説明
まず、図１乃至図３を参照して遊技盤６０について説明する。図１及び図２は、前述した通りであり、図３は、遊技盤６０の拡大正面図である。まず、主として図３を参照して遊技盤６０の正面構造について説明する。遊技盤６０は、前面枠３の裏面側に一体的に形成される遊技盤収納枠３６（図２参照）に収納固定されるべく、ほぼ正方形状の合板により形成され、その表面には、円形うず巻き状に誘導レール６２が取り付けられ、該誘導レール６２の内側が遊技領域６１とされて発射された打玉が落下するものである。遊技領域６１には、図示の場合、特別可変表示装置６４、特別可変入賞球装置６８、普通可変入賞球装置７８、普通可変表示装置８１等が設けられると共に、単に打玉を入賞とする入賞口、打玉の流下方向，速度を変化せしめる風車又は多数の障害釘が設けられ、また、遊技領域６１の最下方には、いずれの入賞領域にも入賞しない打玉が取り込まれるアウト口８９が設けられている。なお、誘導レール６２の終端には、一旦遊技領域６１に打ち出された打玉が誘導レール６２に逆流しないように逆流防止部材６３が取り付けられている。
【００２４】
遊技領域６１の構成をその遊技動作に従ってより詳細に説明すると、遊技領域６１の中央よりやや左側に設けられる普通可変表示装置８１は、遊技領域６１を落下する打玉の通過を検出する通過玉検出器８２と、該通過玉検出器８２の検出信号に基づいて可変表示して表示結果を導出する普通図柄表示器８３と、普通図柄表示器８３の可変表示中に通過玉検出器８２を通過した打玉数を記憶表示する普通図柄始動記憶ＬＥＤ８４（最高４個まで記憶表示する）とが設けられている。しかして、普通図柄表示器８３の表示結果が予め定められた当り図柄（０〜９までの数字の可変表示において、７が表示された場合）である場合に、普通可変入賞球装置７８が所定時間開放される。なお、普通図柄表示器８３の可変時間は、通常確率モードのときに相対的に長く（例えば、３０秒）、確率変動モードのときに相対的に短く（例えば、３〜５秒）設定されている。
【００２５】
普通可変入賞球装置７８は、遊技領域６１のほぼ中央に配置される特別可変表示装置６４と遊技領域６１の前記アウト口８９の上部に配置される特別可変入賞球装置６８との間に配置され、ソレノイド７９によって開閉駆動される電動チューリップタイプの可変入賞球装置である。そして、普通可変入賞球装置７８には、始動玉検出器８０が内蔵され、開放中又は閉成中に受け入れた入賞玉を検出するようになっている。しかして、打玉が始動玉検出器８０によって検出されると特別可変表示装置６４が可変表示を開始する。なお、普通可変入賞球装置７８の開放時間は、通常確率モードのときに相対的に短く（例えば、０．５秒）、確率変動モードのときに相対的に長く（例えば、２秒）設定されている。また、普通可変入賞球装置７８が開放していない場合でも打玉を受け入れるようになっている。
【００２６】
特別可変表示装置６４は、遊技領域６１のほぼ中央に配置され、複数列の可変表示部が可変表示するような画像を表示するＬＣＤ表示器９２（図２参照）から構成されている。各可変表示部には、複数の図柄が順次可変表示されるようになっており、停止時における図柄の組合せが予め定めた大当り図柄の組合せ（例えば、同一の図柄が当りラインのいずれかに揃った場合）である場合に、大当り遊技状態となって特別可変入賞球装置６８を次に説明する所定の態様で開閉駆動するものである。ただし、大当り図柄の組合せの一部は、確率変動図柄として設定され、この確率変動図柄で大当り遊技状態となったときには、その大当り遊技状態終了後における前記普通図柄表示器８３における当り図柄の出現確率や特別可変表示装置６４における大当り図柄の出現確率が高くなる確率変動モードとなるように設定されている。なお、特別可変表示装置６４は、遊技盤６０の表面側に取り付けられる飾り基板（符号なし）と遊技盤６０の裏面側に取り付けられるＬＣＤ表示器９２とから構成されており、そのうち飾り基板の上部に入賞玉検出器６７ａを内蔵する通常入賞口６７が形成され、その通常入賞口６７の下部及び飾り基板の周囲を囲むように飾りＬＥＤ６５が取り付けられ、更に、下部中央に特別可変表示装置６４の可変動作中に前記始動玉検出器８０によって検出された玉数を記憶表示する特別図柄始動記憶ＬＥＤ６６（最高４個まで記憶表示する）が取り付けられ、更に、符号を付与しないが飾りランプ等も設けられている。
【００２７】
大当り遊技状態となったときに駆動制御される特別可変入賞球装置６８は、ソレノイド７０によって開閉駆動される開閉板６９を有し、その開閉板６９に受け入れられた打玉を検出する特定玉検出器７１及び入賞個数検出器７２が設けられている。なお、開閉板６９に受け入れられた打玉は、特定玉検出器７１及び入賞個数検出器７２のいずれかで１回だけ検出されるようになっている。また、開閉板６９の下方には、大当り遊技状態となったときの開閉板６９の開放回数と開閉板６９の１回の開放中に受け入れられた入賞玉数とを表示する回数個数表示器７３とが設けられている。しかして、大当り遊技状態となった場合には、一定時間（例えば、２８秒）が経過するまで又はその一定時間内に所定個数（例えば、１０個）の入賞玉が入賞するまで開閉板６９を開放（以下、この開放を開放サイクルという）し、その開放サイクル中に受け入れられた打玉が特定玉検出器７１によって検出されたときに継続権が成立して、再度上記した開放サイクルが実行され、各開放サイクルにおいて継続権が成立していることを条件に最高１６回の開放サイクルを繰り返すことができるようになっている。なお、回数個数表示器７３は、開放サイクルと開放サイクルとの間のインターバル時間中に開閉板６９の開放回数を表示し、開放サイクル中に開閉板６９によって受け入れられた入賞玉を表示するようになっている。更に、特別可変入賞球装置６８には、入賞玉検出器７５ａ，７５ｂを内蔵する通常入賞口７４ａ，７４ｂや開閉板６９が開放していることを表示するアタッカーランプ７６や継続権が成立していることを表示する飾りランプ、及び大当り遊技状態である旨を報知する飾りランプや飾りＬＥＤ７７が設けられている。
【００２８】
遊技領域６１には、上記した構成以外に、特別可変表示装置６４の斜めやや下方左右に飾りランプ８５ｂ及び入賞玉検出器８５ａを内蔵する入賞口８５が配置され、更に、特別可変表示装置６４の上部左右に飾りランプ８６ａ付き風車８６、特別可変表示装置６４の側方右側に通常の風車８８、遊技領域６１の左右両側にサイド飾りランプ８７ａを内蔵するサイド飾り８７が設けられている。
【００２９】
以上説明した本実施形態において、打球が入賞する入賞口及び入賞装置には、入賞玉を検出するための信号が導出される入賞玉検出器６７ａ，７１，７２，７５ａ，７５ｂ，８０，８５ａがすべて設けられている。これは、これらの検出信号に基づいて所定個数の賞球を払い出すために使用されるものである。しかして、これらの入賞玉検出器６７ａ，７１，７２，７５ａ，７５ｂ，８５ａは、図５に示すように、次に説明する中継基板９５を介して主基板１８１に接続され、主基板１８１では、これらの検出器からの検出信号を記憶すると共に順次払出制御基板１５１に賞球個数信号を導出して入賞に対応する賞球を払い出すように後述する球払出装置１３０を駆動制御するようになっている。なお、特定玉検出器７１は、継続権の成立を検出する機能を兼用しており、入賞個数検出器７２は、開閉板６９の開放を規制するための計数機能を兼用している。
【００３０】
また、始動玉検出器８０は、図５に示すように、中継基板９５を介することなく直接主基板１８１と接続されて始動信号と入賞信号（ただし、他の入賞玉検出器６７ａ，７１，７２，７５ａ，７５ｂ，８５ａによって導出される賞球個数情報は、相対的に多い個数、例えば、１３個や１５個であるのに対し、始動玉検出器８０に基づく賞球個数情報は、相対的に少ない個数、例えば、５個や７個である）を入力している。これは、始動玉検出器８０からの配線を直接主基板１８１に接続することにより、その途中に不正な回路基板を組み込んだ配線（ぶら下がり基板等と称されている）が接続されているか否かの発見を容易にするためである。また、始動玉検出器８０と主基板１８１とを直接接続する配線は、他の配線の色と明らかに異なる色（本実施形態の場合には、蛍光ピンクと黄色）としたので、この点からも始動玉検出器８０からの配線に不正が行われているか否かを見分け易い。
【００３１】
遊技盤６０の遊技領域６１には、上記したようにスイッチやソレノイド、あるいは飾りランプや飾りＬＥＤ等の電気的部品が多数設けられるが、これらは、次に説明する第１入賞玉集合カバー体９０の裏面に取り付けられる中継基板９４，９５を介して主基板１８１や電飾制御基板１０１に接続されるようになっている。即ち、図５に示すように、遊技盤面に設けられる各スイッチ６７ａ，７１，７２，７５ａ，７５ｂ，８２，８５ａ、各ソレノイド７０，７９、普通図柄表示器８３は、中継基板９４（中継基板Ａと表示）を介して主基板１８１に接続され、遊技盤面に設けられる飾りランプを実装している飾りランプ基板７６，８６ａ，８７ａ、遊技盤面に設けられる飾りＬＥＤを実装している飾りＬＥＤ基板６５，７７、記憶表示ＬＥＤ６６，８４、及び回数個数表示器７３は、中継基板９５を介して電飾制御基板１０１に接続されている。
【００３２】
次に、図２を参照して遊技盤６０の裏面側の構成について説明する。遊技盤６０の裏面には、前記特別可変表示装置６４を構成するＬＣＤ表示器９２が図示しないＬＣＤ取付枠を介して遊技盤６０の裏面に取り付けられ、その内部に表示制御基板９３（図４参照）が収容支持されている。この表示制御基板９３は、特別可変表示装置６４としてのＬＣＤ表示器９２の可変表示動作を主基板１８１からの情報信号の種類に応じて駆動制御するものである。
【００３３】
上記したＬＣＤ表示器９２の周囲には、特別可変表示装置６４の上方に位置する入賞口（本実施形態では、入賞口６７）に入賞した入賞玉を誘導する入賞玉誘導路（図示しない）がその前面に形成される第１入賞玉集合カバー体９０が取り付けられ、この第１入賞玉集合カバー体９０に連通するようにその下部に第２入賞玉集合カバー体９１が取り付けられている。そして、第１入賞玉集合カバー体９０の一側後面に中継基板９４，９５が、第２入賞玉集合カバー体９１の一側後面に情報端子基板９６がそれぞれ取り付けられている。第１入賞玉集合カバー体９０に取り付けられる中継基板９４，９５は、前述したように遊技盤６０の遊技領域６１に設けられるスイッチ、ランプ、ソレノイド、ＬＥＤ等の電気部品と主基板１８１又は電飾制御基板１０１との接続を中継するものであり、第２入賞玉集合カバー体９１に取り付けられる情報端子基板９６は、図５に示すように、弾球遊技機１の営業管理上必要な遊技情報（例えば、払い出された賞球個数情報、大当り遊技状態中である旨を報知する大当り１情報、確率変動図柄で大当り遊技状態となり、その大当り状態中及びその大当りによる確率変動中である旨を報知する大当り２情報（大当り中と確率変動中に出力され続ける信号）、確率変動図柄による大当り状態終了後の確率変動中である旨を報知する確率変動情報、始動玉検出器８０をＯＮした打玉の数を報知する始動口情報、特別可変表示装置６４の可変動作回数を報知する図柄確定回数１情報、普通可変表示装置８１の可変動作回数を報知する図柄確定回数２情報、及び普通可変入賞球装置７８の開閉回数を報知する役物回数２情報等）を遊技場に設置される管理コンピュータに出力するための外部接続端子を有し、これらの情報が主基板１８１から与えられるようになっている。更に、どの図柄で大当りしたか、どの図柄で停止したか等の情報を出力するようにしてもよい。なお、この情報端子基板９６は、遊技盤６０の裏面ではなく、後述する機構板１１０に取り付けても良い。例えば、後述する情報端子基板１１８と並べて機構板１１０の背面上部に纏めて設けても良い（この場合、１つの基板上に形成しても良いし、別々の基板を並列配置しても良い）。このように情報端子群を一箇所に纏めて配置することにより、メンテナンスが行い易く且つ各接続の確認が行い易いというメリットがある。なお、中継基板９４，９５及び情報端子基板９６の取付位置や並び順は、特に図示のように限定されるものではないが、遊技機裏面から視認し易い位置が作業性にも優れ、更には、不正改造されても発見し易いという利点がある。また、中継基板９４，９５及び情報端子基板９６には、各端子（コネクタ）への誤配線を防止するために、それぞれの基板に機能を示す記号や情報を付すようにしても良い。
【００３４】
上記した情報端子基板９６が取り付けられる第２入賞玉集合カバー体９１には、その前面側に遊技盤６０に設けられる各入賞口６７，７４ａ，７４ｂ，７８，８５に入賞した入賞玉を誘導するための入賞玉誘導路（図示しない）が形成されると共に、その背面側にその内部に電飾制御基板１０１を収容する電飾制御基板ボックス１００、及びその内部に効果音制御基板１０３を収容する効果音制御基板ボックス１０２が取付台１０５を介して着脱自在に取り付けられている。電飾制御基板ボックス１００と効果音制御基板ボックス１０２とは、重畳することなく取付台１０５に並列状に着脱自在に取り付けられている。電飾制御基板１０１は、図５に示すように、遊技盤６０の遊技領域６１（必ずしも遊技領域６１の内部に設けられなくてもよく、遊技盤６０に設けられていれば良い）に設けられる飾りランプや飾りＬＥＤ、及び前面枠３やガラス板保持枠４に設けられる飾りランプや飾りＬＥＤ等を主基板１８１からの情報信号に応じて一括して駆動制御するものである。また、効果音制御基板１０３は、前記スピーカ１２ａ，１２ｂを駆動制御するものであり、主基板１８１からの情報信号に応じて遊技内容に対応した効果音を発生させるものである。また、効果音制御基板１０３には、音量を切り替える音量切替スイッチ１０４が設けられている。なお、取付台１０５の第２入賞玉集合カバー体９１への取付構造及び取付台１０５への電飾制御基板ボックス１００及び効果音制御基板ボックス１０２の取付構造は、後述する主基板ボックス１８０の取付台２５０の機構板１１０への取付構造とほぼ同じである。そして、電飾制御基板ボックス１００及び効果音制御基板ボックス１０２が取り付けられた取付台１０５は、係止レバー１０６を反時計方向に回動させることにより、第２入賞玉集合カバー体９１の裏面に係止固定されるものである。
【００３５】
なお、上記した電飾制御基板ボックス１００及び効果音制御基板ボックス１０２には、ボックスの種別と取付・取外要領を記すことが望ましい。例えば、電飾制御基板ボックス１００には、「ラ」（ランプという意味）という文字を丸で囲った記号を記し、効果音制御基板ボックスには、「音」という文字を丸で囲った記号を記して種別を表示し、「取り外し方；レバーを右回転させて取付台を右にスライドさせ上方に抜き取ります。ボックスを左にスライドさせて上方に持ち上げて下方を手前に引いて外します。取り付け方；まず、ボックスの上方を引っ掛けてから下側を引っ掛けて左にスライドさせる。ボックスを取付台に取り付けてから、取付台を上方から引っ掛けて左にスライドさせ、レバーを左に回転する。」というような説明文を記す。この場合、シールに種別と説明文を印刷して貼付しても良いし、あるいは、ボックスの成形時にそれらの記号又は文字を一体成形しても良いし、他の方法で記しても良い。また、同様に、種別及び説明文を後述する払出制御基板ボックス１５０（例えば、「払」という文字を丸で囲った記号で種別を表す）、電源ユニットボックス１６８（例えば、「電」という文字を丸で囲った記号で種別を表す）、主基板ボックス１８０（例えば、「主」という文字を丸で囲った記号で種別を表す）等に記すことも望ましい。
【００３６】
以上、遊技盤６０の構成について詳細に説明してきたが、上記のように構成される遊技盤６０は、前面枠３の裏面側に形成される遊技盤収納枠３６に収納固定されるようになっている。遊技盤収納枠３６は、周知のように、ほぼ正方形状に構成される遊技盤６０を収納するように前面枠３の裏面に段差状に形成され、収納した遊技盤６０の裏面を押圧固定するための遊技盤係止レバー４１が遊技盤収納枠３６の適宜箇所に取り付けられている。また、遊技盤収納枠３６の下方部は、平板状の支持板となって遊技盤６０の下辺を載置するようになっており、その支持板のほぼ中央にアウト玉を誘導する前記アウト玉連絡通路が形成されている。また、遊技盤６０を遊技盤係止レバー４１によって収納固定した状態においては、その裏面から機構板１１０が被覆されることとなるが、その機構板１１０は、遊技盤収納枠３６の一側側面に固定される軸受金具３７の上下に突設される軸ピン３８に機構板１１０の一側に固定される軸支金具の掛止穴を係止することにより、開閉自在に軸支され、また、遊技盤収納枠３６の適宜位置に植立される係止ピン（図示しない）と機構板１１０に設けられる機構板係止レバー１４８とを係合させることにより、機構板１１０を閉じた状態で保持することができるようになっている。
【００３７】
以上、本実施形態に係る遊技盤６０の構成について説明してきたが、本実施形態においては、遊技動作に応じた効果音を発生制御する効果音制御基板１０３を収容する効果音制御基板ボックス１０２と、弾球遊技機１を電気的に装飾する電飾部品を表示制御する電飾制御基板１０１を収容する電飾制御基板ボックス１００と、を備えた弾球遊技機１において、前記効果音制御基板ボックス１０２と電飾制御基板ボックス１００とを相互に分離可能な状態で１つの取付台１０５（取付部材）に着脱自在に取り付けると共に、その取付台１０５（取付部材）を遊技盤６０の裏面に着脱自在に取り付けたことにより、組立時において２つの基板ボックス１０２，１００を遊技盤６０の裏面に一括して同時に取り付けることができるため、その作業性が容易となり、また、基板１０３，１０１の交換時においても、２つの基板ボックス１０２，１００を一括して同時に取り外し再度一括して同時に取り付けることができるので、その作業性が容易となる。また、効果音制御基板ボックス１０２と電飾制御基板ボックス１００とを遊技盤６０の裏面に一括して同時に取り付けるように構成しているので、遊技盤６０を交換する際に、２つの基板ボックス１０２，１００を遊技盤６０から外さなくても基板ボックス１０２，１００を遊技盤６０に付けたままで遊技盤６０を交換すれば良く、２つの基板ボックス１０２，１００を機構板１１０から別々に外す場合に比べて遊技盤６０の交換作業が容易となる。そして、交換して回収された遊技盤６０から効果音制御基板ボックス１０２と電飾制御基板ボックス１００とが分離されてリサイクルされることとなる。
【００３８】
（３）機構板の説明
次に、弾球遊技機１の背面に設けられる機構板１１０の構成について図２及び図７を参照して説明する。図２は、前述した通りであり、図７は、機構板１１０の下部構成部の背面から見て左側部分に取り付けられる電源ユニットボックス１６８及び主基板ボックス１８０の取付状態を示す斜視図である。
【００３９】
図２において、機構板１１０は、主として賞球を貯留する玉供給部としての賞球タンク１１３と該賞球タンク１１３に貯留された賞球を下流側に整列しながら誘導する玉整列レール部材１１５及びカーブレール部材１２２とが設けられる上部構成部と、カーブレール部材１２２からの玉を誘導する玉通路部材１２３と入賞に基づく賞球を払い出す球払出装置１３０とが設けられる中間構成部と、主として遊技盤６０に打ち込まれた入賞玉を含む打玉を処理するための構成及び賞球を上皿１９及び下皿２７に導くための構成が設けられる下部構成部と、が開口窓１１１を構成するように板状の機構板１１０上に一体的に取り付けられている。なお、図示の実施形態の場合には、機構板１１０の強度を高めるために開口窓１１１の開放側に上部構成部と下部構成部を連結する補強連結部材１１２が取り付けられている。
【００４０】
そこで、以下、機構板１１０の構成について、各構成部毎に説明する。まず、上部構成部には、多量の賞球を貯留する賞球タンク１１３と、該賞球タンク１１３から供給される賞球を仕切壁（図示しない）によって複数列（本実施形態の場合、３列）に整列して流下させる玉整列レール部材１１５と、該玉整列レール部材１１５によって誘導された賞球を後述する球払出装置１３０に向けて方向転換するカーブレール部材１２２と、該カーブレール部材１２２の上方に設けられた情報端子基板１１８がそれぞれ所定の位置に設けられている。
【００４１】
賞球タンク１１３の下流側底面には、玉切れ情報検知レバー（図示しない）が設けられ、該玉切れ情報検知レバーの下方に、玉切れ情報スイッチ１１４が固定されている。この玉切れ情報スイッチ１１４は、図６に示すように、後述する情報端子基板１１８に接続されて賞球タンク１１３内に賞球が不足したときに図示しない管理コンピュータに玉切れ信号を出力するようになっている。賞球タンク１１３の下流側に配置される玉整列レール部材１１５は、上部構成部の一端から他端に向けて傾斜状に取り付けられ、その内部中央に２条の仕切壁（図示しない）が立設されている。この仕切壁によって区画された３列のレール部のうちの奥側１列を球貸用レール部とし、手前側２列を賞球用レール部としている。奥側の球貸用レール部の下流側には、球貸用レール部を流下する玉の有無を検出するための球切れ検知レバーが揺動自在に軸支されており、この球切れ検知レバーには、機構板１１０の裏面側にマイクロスイッチ形式の球切れスイッチ１１６が関連して設けられており、球貸用レール部を流下する玉が存在する場合には、球切れスイッチ１１６をＯＦＦ状態に保持する一方、玉詰まり又は玉切れによって球貸用レール部を流下する玉が存在しない場合には、球切れスイッチ１１６をＯＮ状態に保持する。球切れスイッチ１１６のＯＮ・ＯＦＦ信号は、図６及び図５に示すように、後述する払出ユニット中継基板１４０及びサンパック中継基板１４２を介して主基板１８１に入力されるようになっている。この点については、後に詳述する。なお、球切れスイッチ１１６は、球払出装置１３０から１列の玉貸用玉通路内の２７〜３０個目の玉を検出する位置に取り付けられている。これは、１回の貸球分を確保するためで、貸球途中に玉切れしても、当該１回分を払い出すことができるようにするためである。また、球切れスイッチ１１６としてマイクロスイッチ形式のものではなく、近接スイッチ、フォトスイッチ等の他の形式のスイッチを使用しても良く、例えば、賞球が通過する通過穴を球貸用レール部に臨ませた近接スイッチ、あるいは球貸用レール部の裏面に取り付けたフラット近接スイッチを使用すれば、球切れ検知レバー等の部材が不要となり、検出部の構造を簡略化することができる。
【００４２】
また、玉整列レール部材１１５の下流側上部には、図２に示すように、球ならし部材１１７が支軸を支点として揺動自在に垂下され、玉整列レール部材１１５上を上下２段となって流下する賞球を球ならし部材１１７に埋設される重錘（符号なし）の作用によって１段とするようになっている。なお、玉整列レール部材１１５の下流側には、カーブレール部材１２２が接続されるが、このカーブレール部材１２２は、上部構成部と中間構成部とに跨がって構成されるので、次の中間構成部の説明箇所で詳細に説明する。
【００４３】
上記した玉整列レール部材１１５の下流側上部には、情報端子基板１１８が取り付けられている。この情報端子基板１１８には、前記玉切れ情報スイッチ１１４が接続される端子（コネクタ）や、外部（例えば、管理コンピュータ）と弾球遊技機１との間の信号線を接続する球切れ情報出力端子や球貸情報出力端子（この２つの端子が外部接続端子を構成する）や、後述する払出制御基板１５１と接続するための端子を有して構成されている。また、情報端子基板１１８の側方には、後述する電源コード１２０を機構板１１０の前面側に導くための配線通し開口１１９が開設されている。
【００４４】
上部構成部には、上記した構成以外に、その開放端部及び情報端子基板１１８の上部に対応する位置に機構板係止レバー１４８が一端を支持されて回動自在に設けられている。機構板係止レバー１４８には、前記遊技盤収納枠３６の所定の位置に植立固定される係止ピン（図示しない）の先端部と係合する溝が形成されており、この溝と係止ピンとの係合を解除するように回動させることにより、機構板１１０の遊技盤収納枠３６への固定状態を解除することができる。なお、機構板係止レバー１４８は、図２に示すように、上部構成部の開放端部及び下部構成部の開放端部に設けられているため、機構板１１０の遊技盤収納枠３６への固定状態を堅固に安定化させることができるようになっている。
【００４５】
次に、中間構成部の構成について図２を参照して説明する。中間構成部の上部には、上記した玉整列レール部材１１５の下流側に接続される逆「く」字状のカーブレール部材１２２が配置されている。このカーブレール部材１２２は、玉整列レール部材１１５によって前後方向（機構板１１０の背面から見て）３列に流下される玉を左右方向（同じく機構板１１０の背面から見て）３列に流下するように方向転換するものである。そして、このカーブレール部材１２２は、詳細に図示しないが、玉整列レール部材１１５の球貸用レール部に連通する球貸用カーブレール部と賞球用レール部に連通する賞球用カーブレール部とに区画されている。また、カーブレール部材１２２の屈曲部には、図示しない玉抜き弁が開閉自在に設けられ、弾球遊技機１の正面側からの操作によって玉抜き弁を開放操作したときには、その屈曲部より上流側の玉整列レール部材１１５及び賞球タンク１１３に待機する玉を玉抜き通路１２１を介して弾球遊技機１の外側（弾球遊技機を設置する島の回収樋）に導くようになっている。なお、玉抜き通路１２１は、カーブレール部材１２２の屈曲部から機構板１１０の一側側方に沿って形成され、最終的に機構板１１０の下部ほぼ中央部分にその排出口が臨むようになっている。
【００４６】
上記したカーブレール部材１２２の下流側には、玉通路部材１２３と球払出装置１３０とが取り付けられている。玉通路部材１２３は、前記カーブレール部材１２２によって流下方向を左右に変換された３列で玉を流下させるものであり、球貸用カーブレール部に連通される球貸用通路部１２４と賞球用カーブレール部に連通される２列の賞球用通路部１２５とが区画されて並列状に形成されている。賞球用通路部１２５の上流側には、一対の球切れスイッチ１２６がそれぞれの賞球用通路部１２５に臨むように着脱自在に装着されている。一対の球切れスイッチ１２６は、直列に接続され、その球切れスイッチ１２６のスイッチ配線は、後に説明する払出ユニット中継基板１４０のコネクタ１４０ａに接続されるようになっている（図４参照）。
【００４７】
しかして、球切れスイッチ１２６は、図６及び図５に示すように、払出ユニット中継基板１４０及びサンパック中継基板１４２を介して主基板１８１に入力され、いずれか一方の球切れスイッチ１２６が賞球を検出しなくなったときには、後に説明する球払出装置１３０の賞球モータ１３２の作動を停止して賞球の払出を不能動化させるようになっている。なお、球切れスイッチ１２６は、球払出装置１３０から２列の賞球用通路部１２５内に１７〜１８個目の賞球を検出する位置に着脱自在に取り付けられている。これは、１回の賞球分を確保するためで、賞球途中に玉切れしても、当該１回分を払い出すことができるようにするためである。
【００４８】
上記した玉通路部材１２３の下方の中間構成部に取着される球払出装置１３０は、透明な合成樹脂で成形される直方体状のケースの内部に収納されて機構板１１０の背面側に着脱自在に取り付けられるようになっている。球払出装置１３０の構造について、ここで簡単に説明しておくと、ケース内は、玉通路部材１２３の前記球貸用通路部１２４に連通する１条の球貸通路と前記賞球用通路部１２５に連通する２条の賞球通路とに区画され、１条の球貸通路に球貸モータ１３１（図６に符号だけ表示；ステッピングモータが使用されているが、ソレノイド等の駆動源でもよい）によって駆動される玉払出部材（図示しないが、スクリューやスプロケット等のモータによって駆動される回転部材、あるいは玉の流下を阻止したり許容したりするソレノイドによって駆動されるストッパー部材）が臨み、また、２条の賞球通路に賞球モータ１３２（図６に符号だけを表示；ステッピングモータが使用されている）によって駆動される玉払出部材（図示しない）が臨むようになっている。そして、各モータ１３１，１３２を回転せしめることにより、玉を１個単位で払い出すようにしている。なお、２条の賞球通路からは、交互に玉が払い出されるようになっているので、その払出速度が貸球の払出速度に比べて高くなっている。このような構造の球払出装置１３０は、球貸払出動作と賞球払出動作とを独立して行える構造であり、例えば、同時に球貸払出動作及び賞球払出動作ができるし、一方が球切れしても他方が球切れしていなければ、その他方の球切れしていない方の払出動作を行わしめることができるという利点がある。
【００４９】
また、払い出された玉を検出するために各通路部には、カウントスイッチ１３３，１３４（図６に符号だけ表示；近接スイッチが使用されている）が臨んでおり、更に、払出動作を確実に行うために各モータ１３１，１３２の位置（正確には、玉払出部材の位置）を検出するモータ位置センサ１３５，１３６（図６に符号だけ表示；フォトセンサが使用されている）が設けられている。なお、カウントスイッチ１３３，１３４を設ける方が望ましいが、位置センサ１３５，１３６だけの検出信号又は該検出信号とステッピングモータのステップ信号とで払出の制御を行うようにしても良く、更に、カウントスイッチ１３３，１３４も実際の玉を検出する近接スイッチに限らず、例えば、玉の通過により作動する可動板を設け、その可動板の動きを検出するフォトセンサ等でもよい。つまり、払出数を検出する払出玉数検出手段は、払い出された玉を検出する構造及び手段であれば、どのようなものでも良い。
【００５０】
また、ケースには、上記したモータ１３１，１３２、球貸カウントスイッチ１３３、モータ位置センサ１３５，１３６が接続される払出ユニット中継基板１３９と、賞球カウントスイッチ１３４及び前記球切れスイッチ１２６，１１６が接続される払出ユニット中継基板１４０と、が付設されている。この２つの払出ユニット中継基板１３９，１４０は、図５及び図６に示すように、払出制御基板１５１にだけ接続される電気部品を纏めた払出ユニット中継基板１３９と、サンパック中継基板１４２を介して主基板１８１にだけ接続される電気部品を纏めた払出ユニット中継基板１４０とに分けてケース内に設けたものである。なお、２つの払出ユニット中継基板１３９，１４０は、ケースの外側側壁に着脱自在に取り付けられると共に、該ケースに着脱自在に取り付けられる基板被覆カバー（図示しない）によって被覆されており、その基板被覆カバーに各払出ユニット中継基板１３９，１４０と配線とを接続するためのコネクタ接続開口（図示しない）が形成されている。
【００５１】
以上で、機構板１１０の中間構成部についての説明を終了し、次に、機構板１１０の下部構成部について図２を参照して詳細に説明すると、下部構成部は、図２に示すように、背面から見てその右側部分に払出制御基板１５１を収容する払出制御基板ボックス１５０が取り付けられ、背面から見てその左側部分に電源ユニット基板１６９を収容する電源ユニットボックス１６８と主基板１８１を収容する主基板ボックス１８０とが重畳的に取り付けられている。払出制御基板ボックス１５０が取り付けられる下部構成部の前面側（機構板１１０の遊技盤６０と対面する内側）には、入賞玉を誘導する入賞玉誘導通路とアウト玉を誘導するアウト玉通路とが形成され、下部構成部の背面側（機構板１１０の外側）には、賞球通路、連絡通路、余剰球通路と玉抜き通路の下流部とが形成され、前記払出制御基板ボックス１５０は、賞球通路、連絡通路、余剰球通路と玉抜き通路の下流部の後面側に取り付けられるものである。
【００５２】
なお、機構板１１０の下部構成部の背面から見て右側部分（以下、右側下部構成部という）の詳細な構成についての説明は、省略するが、賞球通路の末端には、前記上皿１９と連通する上皿連通口１４３が開設され、また、余剰球通路の下部には、払い出された賞球が所定量に達したことを検出する満タンスイッチ１４１が設けられている。この満タンスイッチ１４１がＯＮされると、球払出装置１３０のモータ１３１，１３２の駆動を停止して賞球及び貸球の払出動作を不能動化するものである。また、上皿連通口１４３の下部の連絡通路、余剰球通路、玉抜き通路で囲まれる範囲の一部には、機構板１１０の前面から背面側に配線を引き出す配線通し開口１４４が形成されている。更に、余剰球通路の背面側には、サンパック中継基板１４２（図７参照）が取り付けられ、その上部に電源中継基板１４５が取り付けられている。このうち、電源中継基板１４５は、後に説明する横架突出板１６０部分に取り付けられている。また、配線通し開口１４４は、主として払出制御基板１５１に接続される配線であって機構板１１０の前面側に敷設される配線を機構板１１０の背面側に導き出すためのものである。更に、サンパック中継基板１４２には、前記満タンスイッチ１４１からの配線が接続されるコネクタ１４２ａと、後述する主基板１８１のコネクタ１８１ｈと接続するためのコネクタ１４２ｃと前記払出ユニット中継基板１４０のコネクタ１４０ｃと接続するためのコネクタ１４２ｂとが設けられている（図７参照）。
【００５３】
上記した右側下部構成部の背面側に取り付けられる払出制御基板１５１を収容する払出制御基板ボックス１５０について簡単に説明すると、払出制御基板ボックス１５０は、払出制御基板１５１をビス止め支持する透明合成樹脂製の主体と払出制御基板１５１を被覆する透明合成樹脂製のカバー体とからなり、主体とカバー体とは、図示しない係合爪と係合穴とにより簡単に着脱できるようになっている。なお、主体とカバー体との被覆状態を堅固にするために取付穴にビスを螺着しても良い。この場合、ビスとして、通常のビスを使用しても良いが、例えば、ワンウェイネジ等を使用して基板ボックス１５０の一部を破壊しない限り基板ボックス１５０を開放できないように螺着して不正改造を行うことができないようにしても良い。また、内部に収容される払出制御基板１５１は、後述する主基板１８１からの情報信号に基づいて賞球の払出動作を行うと共に球貸要求信号に基づいて貸球の払出動作を行うものである。その他、貸球に係る制御は、主基板１８１に拘束されることなく払出制御基板１５１で独自に実行するようになっている。
【００５４】
なお、払出制御基板１５１には、払出制御基板に接続される電気部品の異常を異常の種類に応じて数字で表示するエラー表示器１５２と、異常状態を解消した後に操作するリセットスイッチ１５３（共に図４参照のこと）とが設けられていると共に、複数のコネクタ１５１ａ〜１５１ｇが外部に臨むように設けられている。但し、エラー表示器１５２は透明なカバー体で覆われて保護されているが、リセットスイッチ１５３は操作し易いようにカバー体の外に露出している。また、複数のコネクタ１５１ａ〜１５１ｇは、そのコネクタだけが露出するようにカバー体に形成された開口から突出し、コネクタパターン面をカバー体で完全に被覆した状態となっている。これによって不正改造を防止している。
【００５５】
一方、下部構成部のうち、上記した余剰球通路より背面から見て左側部分（以下、左側下部構成部という）には、その前面側に前述した入賞玉誘導通路やアウト玉通路等の通路が形成されているわけではないので、自由に利用できるスペースとなっている。そして、本実施形態の場合には、電源ユニットボックス１６８を取り付けるための空間として利用されている。より具体的に説明すると、図７に示すように、電源ユニットボックス１６８を取り付ける領域は、やや前面側に向かって凹状に形成されている。即ち、電源ユニットボックス１６８の取付空間の側壁を構成する透明側壁板１７８は、図７に示す右側下部構成部の機構板１１０よりもやや前面側に奥まった位置（遊技盤６０に近づく位置）となっており、その透明側壁板１７８の上部左右に一対の取付穴１７５を有する取付ボスが形成され、透明側壁板１７８の下辺左右に一対の係合穴１６７が形成されている。この係合穴１６７は、透明側壁板１７８から直角状に背面に向かって突設されるＬ字状突出板１６５との隅角部に形成されるものである。Ｌ字状突出板１６５の先端には、主基板ボックス１８０を取り付けるための取付台２５０の下部を着脱自在に装着するための挿入溝１６６が形成されている。この挿入溝１６６については、後に詳述する。なお、透明側壁板１７８の裏面には、取付空間を補強するために補強リブ１７７が長方形状に突設されている。
【００５６】
しかして、上記のように構成される取付空間に電源ユニットボックス１６８を取り付けるには、電源ユニットボックス１６８の下部両側に突設される係合突起１７３を係合穴１６７に差し込んだ後に、電源ユニットボックス１６８の上部両側に突設される取付片１７４の取付穴を前記取付穴１７５に対応させてビス１７６を止着することにより簡単に取り付けることができる。そして、この場合、電源ユニットボックス１６８が右側下部構成部の機構板１１０よりも前面側（遊技盤６０に近い側）に奥まって取り付けられているので、電源ユニットボックス１６８の背面側への突出量を抑制することができる。特に、電源ユニット基板１６９は、他の制御基板と比べて高さ（厚み）を有するヒートシンクや大型のコンデンサが実装されるので、その電源ユニット基板１６９を収容する電源ユニットボックス１６８も厚みがあるが、このような厚みのある基板ボックス１６８を取り付けても背面側の突出量を抑制することができるものである。
【００５７】
ところで、電源ユニットボックス１６８は、内部に複数の電圧の異なる電源を生成する電源ユニット基板１６９を収容するものであり、透明な合成樹脂によって形成されている。電源ユニット基板１６９は、電源コード１２０が接続される電源コネクタ１７０と電源スイッチ１７２と電源中継基板１４５と接続するためのコネクタ１７１とが実装されている。電源コネクタ１７０に接続される電源コード１２０は、前記情報端子基板１１８の側方に形成される配線通し開口１１８から機構板１１０の裏面側に形成される配線処理溝（図示しない）に沿って機構板１１０の下部まで引き通され、前記配線通し開口１４４から機構板１１０の表側に引き出されて電源コネクタ１７０に接続される。また、電源コード１２０によって供給される電圧は、ＡＣ２４Ｖの電圧であり、電源ユニット基板１６９で生成される複数の電圧としては、後に詳述する図５及び図６に示されている。更に、本実施形態においては、電源スイッチ１７２をＯＮすることにより、電源ユニット基板１６９で複数の電源が生成されて各制御基板に供給されるようになっているが、必ずしも電源スイッチ１７２は必要ではなく、電源コード１２０を差し込んだときに複数の電源が生成されるようにしても良い。また、電源スイッチ１７２を電源中継基板１４５に設けても良いし、主基板１８１の電源だけをＯＮ・ＯＦＦする機能だけとしても良い。また、コネクタ１７１は、生成された複数の電源の電源配線を纏めて１つの集合配線として接続されるものである。なお、電源スイッチ１７２、電源コネクタ１７０及びコネクタ１７１は、図２に示すように、後に詳述する重畳的に配置される主基板ボックス１８０の両側方から飛び出して外部に臨むように配置することが望ましい。この場合、電源スイッチ１７２は、操作し易いように電源ユニット基板１６９と直角であって電源ユニットボックス１６８の側面に臨むように電源ユニットボックス１６８から突出して設けられている。
【００５８】
上記した電源ユニットボックス１６８の背面側には、遊技動作を制御する主基板１８１を収容する主基板ボックス１８０が着脱自在に取り付けられるようになっている。その取付は、図７に示すように、機構板１１０の開口窓１１１の下辺よりやや上部にブリッジ状に掛け渡される横架突出板１６０に取り付けられるものである。横架突出板１６０は、主基板ボックス１８０を取り付けたときに、主基板ボックス１８０の裏面が前記電源ユニットボックス１６８及び前記遊技盤６０の裏面側に取り付けられる電飾制御基板ボックス１００と効果音制御基板ボックス１０２とが当接しないように重畳的に設けられる高さに設定されており、前記したＬ字状突出板１６５の高さとほぼ同じ高さとなっている。しかして、この横架突出板１６０には、主基板ボックス１８０を取り付ける取付台２５０の後述する係合片２５５が挿入係合される挿入溝１６２と、取付台２５０の左方向のスライド動作を規制する規制突起１６３と、取付台２５０を右方向にスライドさせたときに取付台２５０の側面と係合する係合爪１６４とが形成されている。また、横架突出板１６０の右側には、前記電源ユニットボックス１６８で生成された複数の電源を各制御基板に分岐する電源中継基板１４５を止着するための中継基板取付台（図示しない）が形成されている。なお、横架突出板１６０の両側側壁には、図７に示すように横架突出板１６０を補強する補強リブ１６１が突設されている。
【００５９】
横架突出板１６０には、上記したように主基板ボックス１８０と電源中継基板１４５とが取り付けられるが、まず、電源中継基板１４５について説明し、その後、主基板ボックス１８０の構造及びその取付構造について説明する。電源中継基板１４５は、ほぼ正方形状に形成されたプリント配線基板で形成され、前記横架突出板１６０に形成される中継基板取付台に嵌め込まれてその四隅をビス（符号なし）で止着することにより、機構板１１０の背面側に取り付けられる。また、電源中継基板１４５には、そのほぼ中央に過電流防止用の複数のヒューズ１４６が取り付けられ、そのヒューズ１４６の外側周辺部である上下に複数のコネクタ１４５ａ〜１４５ｆが実装されている。ヒューズ１４６は、電源中継基板１４５に実装されるヒューズソケットに着脱自在に装着されるものである。また、電源中継基板１４５を横架突出板１６０の中継基板取付台に固定した状態で、ヒューズ１４６を被覆するように底面が開放したボックス状に形成されるヒューズカバー１４７が中継基板取付台に着脱自在に取り付けられる。この取付は、ヒューズカバー１４７に形成される係止爪（図示しない）を中継基板取付台に形成される係止穴（図示しない）に係止することにより行われる。なお、ヒューズカバー１４７は、透明な合成樹脂によって形成されているため、内部のヒューズ１４６が切れているか否かを容易に外部から判断することができる。また、ヒューズ１４６がどのような種類のヒューズであるかを理解できるように電源中継基板１４５にシルク印刷したり、ヒューズカバー１４７に刻印をしても良い。
【００６０】
上記のように、横架突出板１６０の図示右側に取り付けられる電源中継基板１４５は、図４に示すように、弾球遊技機１の背面から見た場合にそのほぼ中央に配置されている。このことは、電源中継基板１４５から電源の供給を受ける各制御基板１８１，１０１，１０３，１５１，４４が電源中継基板１４５を取り囲むように配置されている状態を示している。そして、このように電源中継基板１４５を弾球遊技機１の背面のほぼ中央に配置することにより、電源中継基板１４５と各制御基板１８１，１０１，１０３，１５１，４４との電源配線の長さを短くすることができ、配線処理の簡略化を図ることができる。
【００６１】
また、電源中継基板１４５に設けられるコネクタ１４５ａ〜１４５ｆのうち、主基板１８１用のコネクタ１４５ａと電飾制御基板１０１用のコネクタ１４５ｂと効果音制御基板１０３用のコネクタ１４５ｃとは、ヒューズ１４６よりも上方に実装され、発射制御基板４４用のコネクタ１４５ｅと払出制御基板１５１用のコネクタ１４５ｄと電源ユニット基板１６９用のコネクタ１４５ｆとは、ヒューズ１４６よりも下方に実装されている。これは、主基板１８１の電源用コネクタ１８１ｅと電飾制御基板１０１の電源用コネクタ１４１ｄと効果音制御基板１０３の電源用コネクタ１０３ｂが電源中継基板１４５よりやや上方又はほぼ同じ位置にあり、発射制御基板４４の電源用コネクタ５３ａ（発射制御電源中継基板５３のコネクタ５３ａ）と払出制御基板１５１の電源用コネクタ１５１ａと電源ユニット基板１６９のコネクタ１７１が電源中継基板１４５より下方の位置にあるため、各制御基板１８１，１０１，１０３，１５１，４４と電源中継基板１４５とを接続したときに、相互の電源配線が交差することがなく整然と接続させるためである。また、上部の３つのコネクタ１４５ａ〜１４５ｃの左から右への配置順序及び下部の３つのコネクタ１４５ｄ〜１４５ｆの右から左への配置順序も、各制御基板１８１，１０１，１０３及び制御基板４４（５３），１５１，１６９の配置順序を考慮して設けたものであり、これによっても相互の電源配線が交差することはない。なお、各コネクタ及びヒューズの配置は、上記の例に限らず、例えば、ヒューズ１４６を側方に集めたり、ヒューズを別基板に設けたり、あるいはコネクタ１４５ｆ以外のコネクタ１４５ａ〜１４５ｅをヒューズ１４６の上方に配置し、コネクタ１４５ａ〜１４５ｅに接続される配線を上部で纏められるように配線押え片を設けたりしても良い。
【００６２】
（４）配線構造の説明
以上、弾球遊技機１の構成、遊技盤６０の詳細構成、及び機構板１１０の詳細構成について説明してきたが、機構板１１０や遊技盤６０に設けられる各種の制御基板の相互の関係、及び各種制御基板と機構板１１０，遊技盤６０，前面枠３及びガラス板保持枠４に設けられる電気的部品との関係について図４乃至図６を参照して詳細に説明する。図４は、弾球遊技機１における各制御基板と中継基板との接続関係を示す配線図であり、図５は、主基板１８１と各種制御基板及び電気部品との関係を示すブロック図であり、図６は、払出制御基板１５１と各種制御基板及び電気部品との関係を示すブロック図である。
【００６３】
図４において、第１入賞玉集合カバー体９０の上部に取り付けられる中継基板９４のコネクタ９４ａと電飾制御基板１０１のコネクタ１０１ａとが接続されている。中継基板９４には、図５に示すように、遊技盤６０に設けられるアタッカーランプ７６、風車ランプ８６ａ、サイドランプ８７ａ等の飾りランプ基板と、飾りＬＥＤ６５、７７等の飾りＬＥＤ基板と、記憶表示ＬＥＤ６６，８４及び回数個数表示器７３と、からの配線が接続されている。
【００６４】
第１入賞玉集合カバー体９０の中間部に取り付けられる中継基板９５のコネクタ９５ａと主基板１８１のコネクタ１８１ｄとが接続されている。中継基板９５には、図５に示すように、遊技盤６０に設けられる各スイッチ６７ａ，７１，７２，７５ａ，７５ｂ，８２，８５ａと、ソレノイド７０，７９と、普通図柄表示器８３と、からの配線が接続されている。
【００６５】
第２入賞玉集合カバー体９１の下部に取り付けられる情報端子基板９６のコネクタ９６ａと主基板１８１のコネクタ１８１ｃとが接続されている。情報端子基板９６には、図５に示すように、大当り情報等の各種の情報を外部の管理コンピュータに導出する外部接続端子が設けられている。
【００６６】
機構板１１０の電源ユニットボックス１６８と払出制御基板ボックス１５０とに挟まれる位置に取り付けられるサンパック中継基板１４２には、満タンスイッチ１４１からの配線と主基板１８１のコネクタ１８１ｈに接続される配線と払出ユニット中継基板１４０のコネクタ１４０ｃに接続される配線とを接続する３つのコネクタ１４０ａ〜１４０ｃが実装されている。
【００６７】
また、前面枠３の裏面下部に取り付けられる中継基板取付台４９には、電飾中継基板５０と効果音中継基板５１と発射制御信号中継基板５２と発射制御電源中継基板５３とが着脱自在に取り付けられている。中継基板取付台４９の四隅には、その裏面に取付ボス（図示しない）が突設され、該取付ボスにビスを止着することにより中継基板取付台４９を前面枠３の裏面にビス止めしている。また、中継基板取付台４９には、各中継基板５０〜５３を取り付けるための位置決め突起と取付ボス（共に図示しない）がその表面側に突設されている。位置決め突起は、各中継基板５０〜５３を対角線上の角部で位置決めするように突設され、取付ボスも交差する対角線上の角部にビスで止着できるように突設されるものである。
【００６８】
しかして、中継基板取付台４９の下部に止着される電飾中継基板５０には、電飾制御基板１０１のコネクタ１０１ｂと配線接続するためのコネクタ５０ａと電飾中継基板１５，１６と配線接続するためのコネクタ５０ｂ，５０ｃが実装されている。また、中継基板取付台４９の上部一側に止着される効果音中継基板５１には、効果音制御基板１０３のコネクタ１０３ｃと配線接続するためのコネクタ５１ｂと効果音中継基板１７ａ，１７ｂと配線接続するためのコネクタ５１ａが実装されている。また、中継基板取付台４９の上部中央に止着される発射制御信号中継基板５２には、払出制御基板１５１のコネクタ１５１ｃと配線接続するためのコネクタ５２ａと発射制御基板４４のコネクタ４４ａと配線接続するためのコネクタ５２ｂとが実装されている。更に、中継基板取付台４９の上部他側に止着される発射制御電源中継基板５３には、電源中継基板１４５のコネクタ１４５ｅと配線接続するためのコネクタ５３ａと発射制御基板４４のコネクタ４４ｃと配線接続するためのコネクタ５３ｂとが実装されている。このように、遊技盤６０以外の前面枠３又はガラス板保持枠４に取り付けられる電飾部品、スピーカ１２ａ，１２ｂ、及び打球発射装置４２に係る電気部品からの配線を中継する中継基板５０，５１，５２，５３を中継基板取付台４９という一箇所に纏めて設けたので接続の確認が行い易く、結果的に接続作業が行い易いという利点がある。
【００６９】
また、球払出装置１３０のケースに設けられる払出ユニット中継基板１４０には、球切れスイッチ１１６と配線接続するためのコネクタ１４０ｂと球切れスイッチ１２６と配線接続するためのコネクタ１４０ａとサンパック中継基板１４２のコネクタと配線接続するためのコネクタ１４０ｃとが実装され、もう一つの払出ユニット中継基板１３９に払出制御基板１５１のコネクタ１５１ｄと配線接続するためのコネクタ１３９ａが実装されている。
【００７０】
また、各制御基板のうち、表示制御基板９３には、主基板１８１のコネクタ１８１ｂと配線接続するためのコネクタ９３ａが設けられている。
【００７１】
また、主基板１８１には、９つのコネクタ１８１ａ〜１８１ｉが実装され、コネクタ１８１ａには、始動玉検出器８０が単独で接続され、コネクタ１８１ｂには、表示制御基板９３が接続され、コネクタ１８１ｃには、情報端子基板９６が接続され、コネクタ１８１ｄには、中継基板９５が接続され、コネクタ１８１ｅには、電源中継基板１４５が接続され、コネクタ１８１ｆには、効果音制御基板１０３が接続され、コネクタ１８１ｇには、電飾制御基板１０１が接続され、コネクタ１８１ｈには、サンパック中継基板１４２が接続され、コネクタ１８１ｉには、払出制御基板１５１が接続されるものである。
【００７２】
また、電飾制御基板１０１には、４つのコネクタ１０１ａ〜１０１ｄが実装され、コネクタ１０１ａには、中継基板９４が接続され、コネクタ１０１ｂには、電飾中継基板５０が接続され、コネクタ１０１ｃには、主基板１８１が接続され、コネクタ１０１ｄは、電源中継基板１４５が接続されるものである。
【００７３】
また、効果音制御基板１０３には、３つのコネクタ１０３ａ〜１０３ｃが実装され、コネクタ１０３ａには、主基板１８１が接続され、コネクタ１０３ｂには、電源中継基板１４５が接続され，コネクタ１０３ｃには、効果音中継基板５１が接続されるものである。
【００７４】
更に、払出制御基板１５１には、７つのコネクタ１５１ａ〜１５１ｇが実装され、コネクタ１５１ａには、電源中継基板１４５が接続され、コネクタ１５１ｂには、主基板１８１が接続され、コネクタ１５１ｃには、発射制御信号中継基板５２が接続され、コネクタ１５１ｄには、情報端子基板１１８が接続され、コネクタ１５１ｅには、払出ユニット中継基板１３９が接続され、コネクタ１５１ｆには、残高表示基板２３及びブザー基板２２ａが接続され、コネクタ１５１ｇには、カードユニット装置３１からのカードユニット配線３５が接続されるものである。
【００７５】
しかして、上記のように配線接続される回路構成においては、図５に示すように、主基板１８１には、遊技盤６０に設けられる各スイッチ６７ａ，７１，７２，７５ａ，７５ｂ，８２，８５ａからの信号が中継基板９５を介して入力されると共に始動玉検出器８０からの信号も入力され、また、満タンスイッチ１４１からの信号がサンパック中継基板１４２を介して入力される。更に、主基板１８１には、上記したサンパック中継基板１４２を介して球切れスイッチ１１６，１２６及び賞球カウントスイッチ１３４からの信号が入力されるものである。
【００７６】
上記した入力信号のうち、遊技盤６０に設けられる各スイッチ７１，７２，８０，８２からの入力信号に基づいて主基板１８１は、遊技盤６０に設けられるソレノイド７０，７９、普通図柄表示器８３を駆動制御すると共に、遊技状態に応じた電飾信号を電飾制御基板１０１に出力し、遊技状態に応じた効果音信号を効果音制御基板１０３に出力し、更に、大当り表示制御信号あるいはリーチ表示制御信号又は外れ表示制御信号を表示制御基板９３に出力し、情報端子基板９６に各種の遊技情報を出力する。電飾制御基板１０１は、主基板１８１から入力される電飾信号の種類に応じて、遊技効果ランプ６〜１０、遊技効果ＬＥＤ１１，１３，１４、飾りランプ７６，８６ａ，８７ａ、飾りＬＥＤ６５，７７、及び記憶表示ＬＥＤ６６，８４、回数個数表示器７３を表示駆動制御し、効果音制御基板１０３は、主基板１８１から入力される効果音信号の種類に応じてスピーカ１２ａ，１２ｂを駆動制御する。また、表示制御基板９３は、主基板１８１から入力される表示制御信号の種類に応じて特別図柄表示器６４（ＬＣＤ表示器９５）の表示結果を導出したり、ＬＣＤ表示器９５の画像表示をするように制御したりする。なお、特別図柄表示器６４としてＬＣＤ表示器９５に限らず、ＣＲＴ表示器、さらにはドラム表示器のように機械的なものであってもよい。
【００７７】
また、満タンスイッチ１４１からの入力信号に基づいて主基板１８１は、払出制御基板１５１に賞球禁止信号、玉貸禁止信号、打球禁止信号を出力し、その信号に基づいて賞球モータ１３２、球貸モータ１３１の駆動を停止したり、発射装置電動機４３の駆動を停止したりする。なお、満タンスイッチ１４１からの入力信号があったときには、電飾制御基板１０１に満タン信号を出力して所定のランプ又はＬＥＤを表示駆動してその旨を報知するようにしてもよい。また、満タン信号として払出制御基板１５１に出力して、例えば、該基板１５１上のエラー表示器１５２等でその旨を報知するようにしてもよい。
【００７８】
また、遊技盤６０に設けられる通過玉検出器８２を除く入賞玉検出器である各スイッチ６７ａ，７１，７２，７５ａ，７５ｂ，８５ａからの入力信号に基づいて主基板１８１は、払出制御基板１５１に賞球個数信号を出力し、払出制御基板１５１は、その賞球個数信号及び賞球可能信号の入力に基づいて賞球モータ１３２を駆動して所定個数の賞球を払い出す。また、賞球カウントスイッチ１３４からの入力信号に基づいて主基板１８１は、情報端子基板９６（図５参照）に賞球個数信号を出力し、この信号を情報端子基板９６から外部の管理コンピュータの出力する。更に、各スイッチ６７ａ，７１，７２，７５ａ，７５ｂ，８５ａからの入力信号に基づいて主基板１８１は、電飾制御基板１０１（及び効果音制御基板１０３）に賞球信号を出力し、賞球ランプ１０（又はスピーカ１２ａ，１２ｂ）を表示駆動してその旨を報知する。
【００７９】
更に、主基板１８１は、球切れスイッチ１２６からの入力信号に基づいて、払出制御基板１５１に賞球禁止信号を出力するようにしたり、球切れスイッチ１１６からの入力信号に基づいて払出制御基板１５１に玉貸禁止信号を出力するようにしたりする。さらには、電飾制御基板１０１に球切れ信号を出力して玉切れランプ９を所定の態様で表示駆動する。なお、玉切れランプ９又は別途設けられる球切れランプを主基板１８１又は払出制御基板１５１で制御するのではなく、玉切れランプ９又は別途設けられる球切れランプに電源を供給し、球切れスイッチ１１６，１２６のＯＮ・ＯＦＦによって単純に点灯・消滅するようにしてもよい。
【００８０】
上記したように、主基板１８１には、遊技動作を制御するためのスイッチ入力、賞球の払出動作を制御するためのスイッチ入力、及び飾りランプ、飾りＬＥＤ、スピーカ１２ａ，１２ｂを駆動制御するためのスイッチ入力しか入力されず、主基板１８１と他の制御基板１５１，１０１，１０３，９３，４４との関係においては、主基板１８１から他の制御基板１５１，１０１，１０３，９３，４４に向かって一方向の通信関係となる。このため、他の制御基板１５１，１０１，１０３，９３，４４に不法な処理プログラムを組み込んで主基板１８１で不正な処理を施そうとしても実行することができないという利点があり、また、主基板１８１の制御の一部を他の制御基板１５１，１０１，１０３，９３，４４で担当しているので、主基板１８１の負担が軽減されると共に、監督官庁による主基板１８１の検査の容易化を図ることも可能である。
【００８１】
次に、図６において、払出制御基板１５１には、モータ位置センサ１３５，１３６、球貸カウントスイッチ１３３からの信号が払出ユニット中継基板１３９を介して入力され、残高表示基板２３の球貸スイッチ２４、返却スイッチ２５からの信号が入力され、カードユニット装置３１から各種の情報が入力されている。更に、主基板１８１から前述したように、賞球個数信号、賞球禁止信号、球貸禁止信号、打球禁止信号が入力されるものである。
【００８２】
上記した入力信号のうち、モータ位置センサ１３５，１３６からの入力信号は、位置センサ基板１３７，１３８を介して入力され、その入力された信号に基づいて払出制御基板１５１は、貸玉及び賞球の払出動作においてモータ１３１，１３２の停止位置、即ち回転部材の停止位置を正確に制御すると共に回転部材が回転しているか否かを検出できる。
【００８３】
また、カウントスイッチ１３３からの入力信号に基づいて払出制御基板１５１は、貸玉の正確な払出数を払い出すようにモータ１３１を駆動制御すると共に、情報端子基板１１８に貸玉数情報を出力する。なお、カウントスイッチ１３３を設けずに、位置センサ１３５のみで賞球と同様に制御しても良い。
【００８４】
また、球切れスイッチ１１６，１２６がＯＮしたときに主基板１８１からの指令に基づいて払出制御基板１５１は、モータ１３１，１３２の駆動を停止して貸玉動作又は賞球動作を行えないように制御する。ただし、貸玉動作又は賞球動作の途中に球切れスイッチ１１６，１２６からの信号が入力されたときには、当該払出動作が終了してから次の払出動作を行わないように制御するようになっている。
【００８５】
また、球貸スイッチ２４からの入力信号に基づいて、カードユニット装置３１は、残額情報があるときに貸玉要求信号を払出制御基板１５１に出力し、その信号を受けて払出制御基板１５１は、球貸モータ１３１を駆動する。また、球貸スイッチ２４の入力信号及び返却スイッチ２５からの入力信号は、払出制御基板１５１を介してカードユニット装置３１に送られる。
【００８６】
また、カードユニット装置３１は、各種の情報入力に基づいて払出制御基板１５１を介して残高表示基板２３の残高表示器に残高情報を出力する。また、ブザー基板２２ａは、払出制御基板１５１のブザー音出力信号によりブザー音を出力する。
【００８７】
更に、主基板１８１からの賞球個数信号、発射禁止信号等に基づいて払出制御基板１５１は、前述したように払出ユニット中継基板１３９を介して賞球の払出動作を実行せしめたり、発射制御基板４４に発射装置電動機４３の停止信号を出力したりする。
【００８８】
なお、情報端子基板１１８に接続される球切れ情報スイッチ１１４からの入力信号は、払出制御基板１５１に入力されることはなく、そのまま球切れ情報として外部の管理コンピュータ等に出力される。
【００８９】
以上、説明した各種の制御基板１８１，１５１，１０１，１０３，４４には、電源ユニット基板１６９からの電源配線を中継する電源中継基板１４５から所望の電源が入力されるように接続されている。ただし、表示制御基板９３への電源の供給は、電源中継基板１４５ではなく主基板１８１を介して供給されるようになっている。これは、特別可変表示装置として使用されるものが本実施形態のようにＬＣＤ表示器９２である場合と機械的な可変表示部材（ドラム式等）とでは、使用する電源電圧が異なるため、遊技盤６０の交換に伴って電源中継基板１４５の電源端子の種類又は数を変更する必要があるところ、遊技盤６０の交換に伴って変更される主基板１８１から電源配線を分岐して表示制御基板９３に入力した場合には、電源中継基板１４５の電源端子の種類又は数をそのままにして主基板１８１の電源端子を必要な電圧の配線だけを接続するようにすれば、電源中継基板１４５の電源端子の種類又は数を変更する必要がないからである。なお、電源中継基板１４５を可変表示部材の種類に対応して別々に構成してもよい。
【００９０】
（５）第一実施形態に係る主基板ボックスの構造
次に、本実施形態の要部を構成する主基板ボックス１８０の詳細な構造について図７乃至図１１を参照して説明する。図７は、前述した通りであり、図８は、第一実施形態にかかる主基板ボックス１８０の分解斜視図であり、図９は、主基板ボックス１８０を構成するボックス状主体１９０とカバー体２１０との係合を説明するための断面図であり、図１０は、主基板ボックス１８０を構成するボックス状主体１９０とカバー体２１０とを止着する構造を示す平面図（Ａ，Ｂ，Ｄ）と断面図（Ｃ）であり、図１１は、（Ａ，Ｂ）は、ワンウェイネジの構造を説明するための説明図であり、（Ｃ，Ｄ）は、ワンウェイネジを締着するための特殊マイナスドライバーの構造を説明するための説明図である。
【００９１】
主基板ボックス１８０は、導電性の取付台２５０に取り付けられ、その取付台２５０の底面に形成される係合片２５５を前記横架突出板１６０に形成される挿入溝１６２とＬ字状突出板１６５の挿入溝１６６に係合させることにより、簡単に行うことができる。即ち、取付台２５０の係合片２５５を挿入溝１６２，１６６の挿入部１６２ａ，１６６ａに挿入して落とし入れる。そして、取付台２５０の全体を図示左方向にスライドさせて係合片２５５の基部を係止溝部１６２ｂ，１６６ｂに嵌め込む。このとき、係合爪１６４が取付台２５０の一側側面に当接係合した状態となって取付台２５０を逆方向にスライドできないようにしている。これによって、主基板ボックス１８０が機構板１１０の背面に取り付けられた状態となる。一方、取付台２５０を取り外すには、係合爪１６４を押圧した状態で取付台２５０を図示左側にスライドさせて取付台２５０が規制突起１６３に当接するまで移動させ、その後、全体を上方に引き抜くことによって取り外すことができる。なお、主基板ボックス１８０の構造及び該主基板ボックス１８０の取付台２５０への取付構造については、次に詳述するが、主基板ボックス１８０は取付台２５０に対して簡単に脱着できるようになっている。
【００９２】
図８において、主基板ボックス１８０は、複数の被覆部材を組み付けることにより構成されており、その複数の被覆部材として、回路基板としての主基板１８１の裏面を被覆し且つ該主基板１８１を支持する取付主体としてのボックス状主体１９０と、該ボックス状主体１９０に被覆支持される主基板１８１の電子部品実装領域（表面）を少なくとも被覆する蓋体としてのカバー体２１０と、から構成されている。そして、ボックス状主体１９０とカバー体２１０は、すべて内部が視認し得る非導電性の透明合成樹脂で形成されている。以下、主基板ボックス１８０を構成する各被覆部材（ボックス状主体１９０，カバー体２１０）と主基板１８１について詳細に説明する。
【００９３】
まず、ボックス状主体１９０について図８を参照して詳細に説明する。図８において、ボックス状主体１９０は、上面が開放した直方体状に形成され、その底面板１９１の内側（上面）の四隅のやや内側には、主基板１８１を止着支持するための位置決め突起１９２と取付ボス１９３が突設されている。位置決め突起１９２は、底面板１９１の一方の対角線端部に突設され、取付ボス１９３は、他方の対角線端部に突設され、その中心に取付穴が形成されている。しかして、位置決め突起１９２には、主基板１８１の一方の対角隅角部に形成される位置決め穴２４０が嵌合され、取付ボス１９３には、主基板１８１の他方の対角隅角部に形成される取付穴２４１が対応せしめられて後述する基板取付用導電ネジ２４２によって止着されるようになっている。ただし、主基板１８１を上記のようにして止着したときには、ボックス状主体１９０の側壁内周に主基板１８１の裏面（ハンダ面）を支持する支持突起１９４が適宜間隔を置いて複数形成されている。
【００９４】
また、ボックス状主体１９０の上部側壁両側及び下部側壁両側には、カバー体２１０の係合突片２１７と嵌合する係合段差溝１９５が形成されている。この係合段差溝１９５は、係合部を構成するもので第１段差溝１９５ａと第２段差溝１９５ｂとがクランク状に形成され、カバー体２１０の係合突片２１７を、まず、第１段差溝１９５ａに落し入れた後に、側方（図８で右側）に向かってスライドさせて第２段差溝１９５ｂに係合突片２１７を落し入れることにより、ボックス状主体１９０とカバー体２１０とを係合させる。このように２段階落し入れ構造を採用したのは、後述するパターン被覆板２１２のコネクタ貫通穴２１３に主基板１８１に実装されるコネクタ１８１ａ〜１８１ｉをスムーズに挿入し且つボックス状主体１９０とカバー体２１０とを係合させるためである。なお、係合段差溝１９５が形成される隅角部は、両横側壁よりも上下に膨出した膨出突部となっている。なお、係合突片２１７と係合段差溝１９５との係合については、後に詳述する。
【００９５】
更に、ボックス状主体１９０の横方向両側壁の外側に固着部としての複数の取付片部１９６ａ，１９６ｂ〜１９９ａ，１９９ｂが突設形成されている。この取付片部１９６ａ，１９６ｂ〜１９９ａ，１９９ｂは、カバー体２１０と分離できないように後述するワンウェイネジ２２７で止着するための止着穴２００を有するもので、詳細には、図１０（Ｂ）の右側の図に示すように、ボックス状主体１９０の側壁から突設される細角状の切断リブ２０２の先端に止着穴２００と予備ネジ挿通穴２０１とが形成される瓢箪状の部材が一体的に形成されたものである。切断リブ２０２の延長線状に形成される止着穴２００は、ボックス状主体１９０とカバー体２１０とを固着する固着手段としてのワンウェイネジ２２７を螺着するための穴であり、その止着穴２００の側方に位置する予備ネジ挿通穴２０１は、予備のワンウェイネジ２２７を挿通保持するための穴である。なお、止着穴２００と予備ネジ挿通穴２０１との間には、成形時における引けを防止するための引け防止穴２０３が形成されている。また、予備ネジ挿通穴２０１の上端は、テーパー部２０１ａとなっており、該挿通穴２０１に挿通されている予備のワンウェイネジ２２７を取り出し易くしている。また、切断リブ２０２の両側上部のうち、止着穴２００と予備ネジ挿通穴２０１とを結ぶ面は、傾斜面２０４となっており、その反対側の面は、円弧状となっているため、図１０（Ａ）に示すように、切断リブ２０２，２２６の両サイド上部が開けているので、切断リブ２０２，２２６をニッパ等の工具で切断する作業が行い易い。
【００９６】
なお、止着穴２００と予備ネジ挿通穴２０１とが形成される取付片部は、４つのうち、３つの取付片部１９７ａ，１９７ｂ〜１９９ａ，１９９ｂであり、１つの取付片部１９６ａ，１９６ｂには、止着穴２００だけが形成されている。したがって、取付片部１９６ａ，１９６ｂの切断リブ２０２の先端には、止着穴２００が形成される円形部材だけが一体的に形成されていることになる。また、ボックス状主体１９０の上部側壁の外側に突設される取付片部は、図示右から左に向かって１９６ａ，１９７ａ，１９８ａ，１９９ａとなっているが、下部側壁の外側に突設される取付片部は、図示左から右に向かって１９６ｂ，１９７ｂ，１９８ｂ，１９９ｂとなっている。更に、図１０（Ｂ）の右側に示す図は、上部の取付片部１９７ａ〜１９９ａであり、この場合には、止着穴２００の右側に予備ネジ挿通穴２０１が形成されているが、下部の取付片部１９７ｂ〜１９９ｂにおいては、止着穴２００の左側に予備ネジ挿通穴２０１が形成されている。つまり、図１０（Ｂ）の右側に示す図を１８０度回転した状態となる。同様に、後述する固定片部２１９ａ，２１９ｂ〜２２１ａ，２２１ｂも上部と下部では、１８０度回転した回転対称の形状となる。
【００９７】
更に、ボックス状主体１９０の縦方向の両方の側壁下部上下には、係合突起２０５が外側に向かって突設され、縦方向の他方の側壁のほぼ中央に側壁と平行となるように係止レバー２０６が形成されている。係合突起２０５は、後述する取付台２５０に形成される係合穴２５７に係合されるものであり、係止レバー２０６は、取付台２５０の係止穴２５９に係止されるものである。そのため、係止レバー２０６の下端には、係止爪２０７が形成されている。つまり、係合突起２０５及び係止レバー２０６は、主基板ボックス１８０を取付台２５０に着脱自在に取り付けるための部材である。
【００９８】
上記のように構成されるボックス状主体１９０に装着される主基板１８１は、図８に示すように、長方形状のプリント配線基板によって構成されており、その上面の大部分はＲＡＭ及びＲＯＭを内蔵してワンチップ化した所謂ワンチップマイクロコンピュータであるＣＰＵ２４３（ＣＰＵ、ＲＡＭ、ＲＯＭはそれぞれ別体にチップ化されていても良いし、ワンチップマイコンでも良い）、トランジスタ、抵抗等の電子部品を実装する電子部品実装領域として形成される一方、縦方向の両側の領域が複数のコネクタ１８１ａ〜１８１ｉを実装するコネクタ実装領域として形成されている。また、主基板１８１には、その四隅に位置決め穴２４０と取付穴２４１が形成され、前述したようにボックス状主体１９０の底面板１９１の内側四隅に突設される位置決め突起１９２と取付ボス１９３に係合又は導電ネジ２４２で止着されるようになっている。なお、取付穴２４１は、主基板１８１のグランドラインがプリントされる部分に形成されており、導電ネジ２４２を止着したときには、そのグランドラインと導電ネジ２４２とが導通するようになっている。この導電ネジ２４２は、その先端が平面状の先端当接面となっており、しかも、主基板１８１を取付穴２４１に止着したときにその先端が底面板１９１の裏面側に露出した状態となっているため、後に詳述するように主基板ボックス１８０を取付台２５０に装着したときには、取付台２５０の弾性当接片２６１と押圧当接するようになっている。
【００９９】
次に、上記のようにボックス状主体１９０に支持された主基板１８１の実装面側を覆う蓋体としてのカバー体２１０について図８を参照して説明する。カバー体２１０は、下方が開放したボックス状に形成され、図示縦方向の両方の側壁板２１１及び上面板の上下に放熱穴２１４が形成されている。また、両方の側壁板２１１の下端（主基板１８１と当接する側）には、開口としてのコネクタ貫通穴２１３が形成された覆板としてのパターン被覆板２１２が外側に向かって突設されている。コネクタ貫通穴２１３は、主基板１８１に実装されるコネクタ１８１ａ〜１８１ｉのそれぞれの大きさとほぼ同じ大きさでそれぞれ形成されているため、コネクタ貫通穴２１３からはコネクタ１８１ａ〜１８１ｉのみが貫通してコネクタ１８１ａ〜１８１ｉ周辺は、パターン被覆板２１２により被覆される。これにより、コネクタ１８１ａ〜１８１ｉ周辺の配線パターンを完全に覆った状態となり、このため、コネクタ１８１ａ〜１８１ｉ周辺の配線パターンに不正な配線のハンダ付け等を行うことを防止することができると共に、主基板１８１とカバー体２１０との間から配線を含む異物を挿入することができず、いずれにしても主基板１８１に対する不正な行為が行えないようになっている。また、カバー体２１０の上面板には、上記したように上下に放熱穴２１４が形成されると共に、その間に機種名シールを貼付する機種名シール貼付部２１５と主基板１８１を検査した際に書き込む「検査者」「検査日」の各項目を記した履歴シールを貼付する履歴シール貼付部２１６が形成されている。
【０１００】
一方、カバー体２１０の図示横方向の上下の側壁板の両端には、係合部としてのＬ字状の係合突片２１７が外側に向かって突設され、この係合突片２１７がボックス状主体１９０の前記係合段差溝１９５に落し入れられるようになっている。より具体的に説明すると、図９（Ａ）に示すように、係合突片２１７は、カバー体２１０の上下部の側壁の縦巾方向の垂直片２１７ｂと横巾方向の水平片２１７ａとによってＬ字状となっている。また、前記係合段差溝１９５の第１段差溝１９５ａは、その入口の横巾寸法が上記水平片２１７ａよりも若干大きくなっており、その深さ方向の寸法は、第１段差溝１９５ａの底面に水平片２１７ａを当接させたときにパターン被覆板２１２がコネクタ１８１ａ〜１８１ｉの上端部よりも高い位置で且つ係合段差溝１９５を構成するボックス状主体１９０の部材に邪魔されることなく横方向にスライドできる寸法である。また、第２段差溝１９５ｂは、その横巾寸法が水平片２１７ａとほぼ同じであり、また、高さ方向の寸法は、パターン被覆板２１２の裏面が主基板１８１の上面に当接した状態で垂直片２１７ｂの上端が第１段差溝１９５ａの上端から突出しない高さ寸法である。なお、図９（Ａ）に示す第２段差溝１９５ｂにおいては、主基板１８１のやや上部に切欠１９５ｃが形成されているが、必ずしもこの切欠１９５ｃは必要ではない。
【０１０１】
しかして、図９（Ｂ）に示すように、係合突片２１７の水平片２１７ａを係合段差溝１９５の第１段差溝１９５ａに落し入れて第１段差部１９５ａの底面に当接させる。この当接させた状態では、パターン被覆板２１２を主基板１８１のコネクタ１８１ａ〜１８１ｉの上方位置に止めた状態となっている。その後、図９（Ｃ）に示すように、水平片２１７ａを右横方向にスライドさせることにより、水平片２１７ａが第２段差溝１９５ｂに落とし入れられると同時にパターン被覆板２１２のコネクタ貫通穴２１３がコネクタ１８１ａ〜１８１ｉの真上から貫通するように落とし入れられる。これによって、カバー体２１０をボックス状主体１９０に取り付けることができる。また、このとき、係合突片２１７の垂直片２１７ｂが第１段差部１９５ａと第２段差部１９５ｂとの連通部を閉塞した状態となっているので、係合段差溝１９５から異物を内部に侵入させることはできない。逆に、取り外す場合には、カバー体２１０を上方に持ち上げた後に左方向にスライドさせ、さらに持ち上げることにより、簡単に取り外すことができる。ただし、カバー体２１０をボックス状主体１９０から分離できる前提として後述する固定片部２１８ａ，２１８ｂ〜２２１ａ，２２１ｂと前記取付片部１９６ａ，１９６ｂ〜１９９ａ，１９９ｂとの間のワンウェイネジ２２７による止着状態が解除（言い換えれば、切断リブ２０２，２２６が切断されていること）されていることが必要である。なお、ワンウェイネジ２２７で止着されない側の係合突片２１７（図８の左上及び右下の係合突片）をカバー体２１０を変形させながら無理やり持ち上げて隙間を作り不正改造しようとしても、水平片２１７ａが第２段差部１９５ｂの上面内側に当接し、その当接させた状態で側面から異物を挿入しようとしても側壁板２１１によって主基板ボックス１８０の側方から挿入することができないので、結局不正行為を確実に防止することができるものである。また、上記のような係合突片２１７と係合段差溝１９５とによる係合部を設けることで、最終的に止着する止着部を少なくすることができるため、コストダウンを図ることができると共に組付け作業が容易となるものである。
【０１０２】
また、カバー体２１０の上記した係合突片２１７の間には、固着部としての複数（４つ）の固定片部２１８ａ，２１８ｂ〜２２１ａ，２２１ｂが突設形成されている。この固定片部２１８ａ，２１８ｂ〜２２１ａ，２２１ｂは、ボックス状主体１９０と分離できないように後述するワンウェイネジ２２７を挿通するための挿通穴２２３を有するもので、その挿通穴２２３がボックス状主体１９０の前記取付片部１９６ａ，１９６ｂ〜１９９ａ，１９９ｂの止着穴２００に対応するものである。より詳細には、図１０（Ｂ）の左側の図に示すようにカバー体２１０の側壁から突設される細角状の切断リブ２２６の先端に挿通穴２２３と予備ネジ覆板部２２５とが形成されるＬ字状の部材が一体的に形成されたものである。切断リブ２２６の延長線状に形成される挿通穴２２３は、ボックス状主体１９０とカバー体２１０とを固着する固着手段としてのワンウェイネジ２２７を挿通するための穴であり、ワンウェイネジ２２７を挿通したときにその頭部が突出しないように挿通穴２２３の上端部分が凹部２２２となっている。また、凹部２２２の上端縁は、テーパー部２２４となってワンウェイネジ２２７を挿入し易いようになっている。また、挿通穴２２３の側方に位置する予備ネジ覆板部２２５は、前記予備ネジ挿通穴２０１に挿通されている予備のワンウェイネジ２２７の上部を覆うための板である。また、切断リブ２２６の両側上部の面は、円弧状となっているため、図１０（Ａ）に示すように、切断リブ２０２，２２６の両サイド上部が開けているので、切断リブ２０２，２２６をニッパ等の工具で切断する作業が行い易い。
【０１０３】
なお、挿通穴２２３と予備ネジ覆板部２２５とが形成される固定片部は、４つのうち、３つの固定片部２１８ａ，２１８ｂ〜２２０ａ，２２０ｂであり、１つの固定片部２２１ａ，２２１ｂには、挿通穴２２３だけが形成されている。したがって、固定片部２２１ａ，２２１ｂの切断リブ２２６の先端には、挿通穴２２３が形成される円形部材だけが一体的に形成されていることになる。また、カバー体２１０の上部側壁の外側に突設される固定片部は、図示右から左に向かって２１８ａ，２１９ａ，２２０ａ，２２１ａとなっているが、下部側壁の外側に突設される固定片部は、図示左から右に向かって２１８ｂ，２１９ｂ，２２０ｂ，２２１ｂとなっている。更に、図１０（Ｂ）の左側に示す図は、上部の固定片部２１８ａ〜２２０ａであり、この場合には、挿通穴２２３の左側に予備ネジ覆板部２２５が形成されているが、下部の固定片部２１８ｂ〜２２０ｂにおいては、挿通穴２２３の右側に予備ネジ覆板部２２５が形成されている。つまり、図１０（Ｂ）の左側に示す図を１８０度回転した状態となる。また、カバー体２１０の上面板部には、固定片部２１８ａ，２１８ｂの切断リブ２２６の近傍に「１」という刻印２２８が形成され、固定片部２１９ａ，２１９ｂの切断リブ２２６の近傍に「２」という刻印２２８が形成され、固定片部２２０ａ，２２０ｂの切断リブ２２６の近傍に「３」という刻印２２８が形成され、固定片部２２１ａ，２２１ｂの切断リブ２２６の近傍に「４」という刻印２２８が形成されている。
【０１０４】
上記のように構成されるカバー体２１０の固定片部２１８ａ，２１８ｂ〜２２１ａ，２２１ｂとボックス状主体１９０の取付片部１９６ａ，１９６ｂ〜１９９ａ，１９９ｂとの作用について説明する。まず、弾球遊技機１の出荷段階においては、固定片部２１８ａ，２１８ｂにワンウェイネジ２２７を挿入して取付片部１９６ａ，１９６ｂの止着穴２００に螺着することにより、カバー体２１０をボックス状主体１９０に固定する作業を終了している（図１０（Ａ）に示す状態）。
【０１０５】
なお、ワンウェイネジ２２７は、ネジ締め方向にしか回らない特殊なネジであり、一旦締め付けるとネジを破壊しない限り取り外すことができないものである。具体的には、図１１（Ａ)(Ｂ）に示すように、その頭部２２９に形成されたネジ溝が当接面部２３０と凹部２３１と中心穴部２３２とから構成されている。そして、図１１（Ｃ)(Ｄ）に示す特殊マイナスドライバー２３３でネジ締めを行う場合には、ドライバー２３３の中心軸部２３４を中心穴部２３２に差し込み、この状態からドライバー２３３の当接片部２３５を当接面部２３０に当接させて一方向（図１１（Ａ）の時計回り方向）に頭部２２９を回転させることでネジ締めを行う。一方、ドライバー２３３で頭部２２９を他方向（図１１（Ａ）の反時計回り方向）に回転させてネジ２２７を取り外そうとした場合には、ドライバー２３３が凹部２３１に入り込んで滑ってしまい頭部２２９を回転させることができずにネジ２２７の取り外しが行えない。なお、通常のマイナスドライバーでも頭部２２９を一方向に回転させてネジ締めすることは可能であるが、特殊マイナスドライバー２３３のように、中心軸部２３４をワンウェイネジ２２７の中心穴部２３２に差し込んでワンウェイネジ２２７との位置決めを行った方が締め付け作業が容易に行える。更に、出荷段階においては、紫外線硬化樹脂によりワンウェイネジ２２７の頭部を被覆して硬化しておくことにより、ワンウェイネジ２２７の頭部を切断するような不正改造を防止する効果を高めるようにしても良い。
【０１０６】
次に、遊技場等で主基板ボックス１８０を主基板１８１の検査（出荷納入後にＲＯＭが正規のものか否かを検査する）のために開放し、その後再度閉塞状態に復元する手順を説明する。先ず、主基板ボックス１８０の閉塞状態において、刻印「１」の目印の切断リブ２２６，２０２をニッパー等の切断工具で切断する。これにより、固定片部２１８ａ，２１８ｂ及び取付片部１９６ａ，１９６ｂは、カバー体２１０及びボックス状主体１９０から完全に分離された状態となる（図１０（Ｄ）に示す状態）。このため、前述したようにカバー体２１０の係合突片２１７とボックス状主体１９０の係合段差溝１９５との係合を解除することにより、主基板ボックス１８０が開放され、主基板１８１の検査を行うことができる。また、このようなカバー体２１０の取り外し（切断リブ２２６，２０２の切断）によって、各予備ネジ挿通穴２０１に挿通されたワンウェイネジ２２７は、取り出し可能な状態となり、このうち取付片部１９７ａ，１９７ｂの予備ネジ挿通穴２０１に挿通された予備のワンウェイネジ２２７を主基板ボックス１８０の復元用に取り出す。その後、主基板ボックス１８０を前述したよう手順に従って閉塞した後に、次に取り出したワンウェイネジ２２７を刻印「２」を目印に固定片部２１９ａ，２１９ｂの挿通穴２２３に挿通して取付片部１９７ａ，１９７ｂの止着穴２００に螺着することにより、主基板ボックス１８０が再度閉塞状態に復元される。以下、同様にして複数回（本実施形態の場合には、４回だが、４回目は、ワンウェイネジ２２７で止めることができないので、実質的には３回）の再検査を行うことができるものである。
【０１０７】
ところで、上記した主基板ボックス１８０の閉塞状態においては、主基板ボックス１８０の所定の部位（本実施形態の場合には切断リブ２２６，２０２）を切断しない限り、主基板ボックス１８０が開放できないようになっている。従って、主基板１８１の検査以外で切断リブ２２６，２０２が切断されるような場合は、この切断により主基板１８１に不正が行われたことが即座に且つ確実に判別できるため、主基板ボックス１８０の防犯効果を高めることができる。
【０１０８】
なお、上方が開放されたボックス状主体１９０と下方が開放されたカバー体２１０を上記したように閉塞した状態においては、ボックス状主体１９０の全周側壁とカバー体２１０の全周側壁とが側方から見て重畳するようになっている。このことは、側方から見てボックス状主体１９０とカバー体２１０との間に隙間が形成されていないということを意味し、ボックス状主体１９０とカバー体２１０との間に隙間が生じるのは、カバー体２１０の背面側から見たとき（図８の右から左方向に見たとき）であり、この場合、主基板１８１に対して垂直方向となるため、仮にボックス状主体１９０とカバー体２１０との隙間から細い針金状の異物を挿入しようとしても、その異物を直角に折り曲げなければ主基板１８１の内部に実装される電子部品に到達することができないので、本実施形態のような主基板ボックス１８０は、不正行為を行い難いという利点がある。
【０１０９】
上記のように構成される主基板ボックス１８０が着脱自在に取り付けられる取付台２５０について図８を参照して説明する。取付台２５０は、ほぼ長方形状の導電性金属板（導電性合成樹脂でも良い）によってほぼ長方形状に形成され、その周辺が折り曲げられて補強片２５１〜２５４となっている。図示縦方向の補強片２５２，２５４の上下にボックス状主体１９０の前記係合突起２０５が挿入される係合穴２５７が穿設されている。また、他方の補強片２５４のほぼ中央は、折り曲げられることなくそのまま外側に向かって延設された係止片部２５８となっており、その係止片部２５８にボックス状主体１９０の前記係止レバー２０６の係止爪２０７が係止される係止穴２５９が形成されている。なお、係止片部２５８を補強するために係止片部２５８の上下には、ビード加工部２６０が形成されている。なお、上辺の補強片２５１だけは、外側に向かって折り曲げられており、機構板１１０の横架突出板１６０に取付台２５０が取り付けられたときに補強片２５１が横架突出板１６０の上辺部と当接するようになっている。
【０１１０】
更に、取付台２５０の上下左右の底面の４箇所に係合片２５５が打ち抜き形成されていると共に、取付台２５０の図示左下底面及び右上底面に弾性当接片２６１が打ち抜き形成されている。このため、係合片２５５及び弾性当接片２６１が形成される底面には、打ち抜き開口２５６，２６２がそれぞれ形成されている。係合片２５５は、前記横架突出板１６０に形成される挿入溝１６２及びＬ字状突出板１６５に形成される挿入溝１６６に挿入されるものである。ところで、この弾性当接片２６１が形成される位置は、主基板ボックス１８０を取付台２５０に取り付けたときに、ボックス状主体１９０に主基板１８１を止着する導電ネジ２４２の下端が当接する位置となっている。そして、弾性当接片２６１は、いずれも取付台２５０の端部に向けて上り勾配となるように形成されている。
【０１１１】
上記のように構成される取付台２５０に主基板ボックス１８０を装着するには、主基板ボックス１８０の左側を斜め下方にして取付台２５０に当接した後、図示左方向にスライドさせて係合突起２０５を係合穴２５７に差し込む。このとき、主基板ボックス１８０の左下部分が左下の弾性当接片２６１を下方に押し込み、しかも当該弾性当接片２６１がスライド方向に対して上り勾配となっているので、係合突起２０５の係合穴２５７への差し込み作業に支障を来すことはない。係合突起２０５を係合穴２５７に差し込んだ後に主基板ボックス１８０の右側を取付台２５０に当接させ、その後、主基板ボックス１８０を右側にスライドさせて係合突起２０５を係合穴２５７に係合させると共に係止レバー２０６の係止爪２０７を係止穴２５９に係合させる。これによって主基板ボックス１８０を取付台２５０に完全に装着した状態となる。なお、主基板ボックス１８０を右方向にスライドさせる作業の場合にも右上の弾性当接片２６１がスライド方向に対して上り勾配となっているので、係合突起２０５と係合穴２５７とを係合させると共に係止レバー２０６の係止爪２０７を係止穴２５９に係合させる作業に支障を来すことはない。
【０１１２】
上記のようにして主基板ボックス１８０を取付台２５０に取り付けた状態においては、導電ネジ２４２の先端当接面が導電性の金属板で形成される取付台２５０の弾性当接片２６１に当接した状態となっている。しかして、導電ネジ２４２は、主基板１８１のグランドラインに接触しているので、主基板１８１に侵入したノイズを導電ネジ２４２及び弾性当接片２６１、更に機構板１１０を介して外部に放電することができる。このため、従来、主基板ボックスを透明化したことにより導電部材を使用し難くノイズに弱い基板ボックスとなっていたが、本実施形態のように構成すれば、ノイズに対して十分に対処し得るものである。また、従来の基板ボックスにおいてアース線を接続したものに比べてもアース構造が主基板ボックス１８０を単に取付台２５０に装着するだけで実現できるので、極めて簡単である。
【０１１３】
なお、主基板ボックス１８０を取付台２５０から取り外す場合には、係止レバー２０６を主基板ボックス１８０の内側に向かって押さえ付けながら、全体を左方向にスライドさせて図示右側の係合突起２０５と係合穴２５７との係合を解除し、主基板ボックス１８０の右側を持ち上げて右側にスライドさせることにより、図示左側の係合突起２０５と係合穴２５７との係合を解除させ、これによって主基板ボックス１８０を取付台２５０から簡単に取り外すことができる。また、上記した主基板ボックス１８０の取付台２５０への取付は、取付台２５０を機構板１１０に取り付けたままの状態であっても行うことができる。
【０１１４】
以上、第一実施形態に係る主基板ボックス１８０について詳細に説明してきたが、本実施形態によれば、主基板１８１（回路基板）の裏面を被覆し且つ該主基板１８１（回路基板）を支持する透明合成樹脂製のボックス状主体１９０（取付主体）と、該ボックス状主体１９０（取付主体）に対して前記主基板１８１（回路基板）の表面を被覆するように取り付けられる透明合成樹脂製のカバー体２１０（蓋体）とからなる主基板ボックス１８０（基板収容ボックス）を備えた弾球遊技機１（遊技機）において、前記カバー体２１０（蓋体）には、前記主基板１８１（回路基板）の表面に実装されるコネクタ実装領域を覆い且つコネクタ１８１ａ〜１８１ｉに対応する部分にコネクタ１８１ａ〜１８１ｉを貫通させるコネクタ貫通穴２１３（開口）を形成したパターン被覆板２１２（覆板）を一体形成し、前記ボックス状主体１９０（取付主体）と前記カバー体２１０（蓋体）には、横方向にスライドさせることにより前記コネクタ貫通穴２１３（開口）にコネクタ１８１ａ〜１８１ｉを貫通させ得る状態で係合するようになる係合段差溝１９５、係合突片２１７（係合部）を相互に形成すると共に、その係合させた状態で一部を破壊しない限り係合状態を解除できないワンウェイネジ２２７（固着手段）で前記ボックス状主体１９０（取付主体）と前記カバー体２１０（蓋体）とを固着する取付片部１９６ａ，１９６ｂ〜１９９ａ，１９９ｂ、固定片部２１８ａ，２１８ｂ〜２２１ａ，２２１ｂ（固着部）を形成したことにより、ボックス状主体１９０（取付主体）とカバー体２１０（蓋体）とを組み付けるだけでコネクタ実装領域の配線パターン部分がカバー体２１０（蓋体）に一体形成されるパターン被覆板２１２（覆板）によって被覆されて不正な配線接続を防止し、しかもボックス状主体１９０（取付主体）とカバー体２１０（蓋体）との組付けは、予め係合段差溝１９５、係合突片２１７（係合部）で係合させているので、最終的に取付片部１９６ａ，１９６ｂ〜１９９ａ，１９９ｂ、固定片部２１８ａ，２１８ｂ〜２２１ａ，２２１ｂ（固着部）に固着されるワンウェイネジ２２７（固着手段）だけで組み付けれるため、組付け作業が容易であり、更に、コネクタ１８１ａ〜１８１ｉがパターン被覆板２１２（覆板）のコネクタ貫通穴２１３（開口）から外部に露出しているので、主基板１８１（回路基板）に対する配線の接続・取り外しを極めて簡単に行うことができる。また、一部を破壊しない限り係合状態を解除できないワンウェイネジ２２７（固着手段）でボックス状主体１９０（取付主体）とカバー体２１０（蓋体）とを固着する取付片部１９６ａ，１９６ｂ〜１９９ａ，１９９ｂ、固定片部２１８ａ，２１８ｂ〜２２１ａ，２２１ｂ（固着部）を形成したので、不正な配線接続等の不正行為を行うには、主基板ボックス１８０（基板収容ボックス）の一部を破壊しなければならないが、破壊したときには、その痕跡が残るため、簡単に係合状態を解除することはできず、この点から見ても不正行為を確実に防止することができる。
【０１１５】
また、第一実施形態においては、前記係合段差溝１９５、係合突片２１７（係合部）は、前記パターン被覆板２１２（覆板）のコネクタ貫通穴２１３（開口）が前記コネクタ１８１ａ〜１８１ｉの上方位置を保持した状態で前記カバー体２１０（蓋体）を前記ボックス状主体（取付主体）に対して横方向にスライドさせた後、前記コネクタ１８１ａ〜１８１ｉが前記コネクタ貫通穴２１３（開口）を貫通するように前記カバー体２１０（蓋体）を前記ボックス状主体１９０（取付主体）に近接するように移動させることにより係合するようになる構造とすることにより、コネクタ１８１ａ〜１８１ｉの外形形状に合致したコネクタ貫通穴２１３（開口）をコネクタ１８１ａ〜１８１ｉに貫通させながらボックス状主体１９０（取付主体）とカバー体２１０（蓋体）とを係合させることができ、コネクタ貫通穴２１３（開口）とコネクタ１８１ａ〜１８１ｉとの間の隙間から不正な配線を接続することができない。
【０１１６】
更に、第一実施形態においては、前記ボックス状主体１９０（取付主体）と前記カバー体２１０（蓋体）とで前記主基板１８１（回路基板）を被覆した状態においては、全外周の側面から見て前記ボックス状主体１９０（取付主体）の外周側壁と前記カバー体２１０（蓋体）の外周側壁とが重畳するようになっていることにより、内部に収容される主基板１８１（回路基板）と平行方向からボックス状主体１９０（取付主体）とカバー体２１０（蓋体）との隙間に異物を挿入することができないため、不正行為を防止することができる。
【０１１７】
（６）第二実施形態に係る主基板ボックスの構造
上記した第一実施形態に係る主基板ボックス１８０は、ボックス状主体１９０にカバー体２１０をスライドさせて係合させてから、パターン被覆板２１２の開口２１３をコネクタ１８１ａ〜１８１ｉの真上から落とし入れて組み付ける形式の係合部を有するものを示したが、必ずしもこのような構造に限定されるものではない。そこで、上記した第一実施形態と異なる係合部の構造を有する第二実施形態に係る主基板ボックス３２０の詳細な構造について図１２乃至図１５を参照して説明する。図１２は、第二実施形態に係る主基板ボックス３２０を弾球遊技機１の裏面に取り付けられる取付台３００に係合する状態を示す斜視図であり、図１３は、第二実施形態にかかる主基板ボックス３２０の分解斜視図であり、図１４は、主基板ボックス３２０を構成するボックス状主体３３０とカバー体３５０との係合を説明するための断面図であり、図１５は、主基板ボックス３２０を構成するボックス状主体３３０とカバー体３５０との係合を説明するための側面図である。
【０１１８】
主基板ボックス３２０は、弾球遊技機１の背面側（例えば、機構板１１０）にビス等で止着される取付台３００に着脱自在に取り付けられる。この取付台３００に装着するために、主基板ボックス３２０は、予め取付中間部材３１０に着脱自在に係合されるものである。そこで、まず、図１２を参照して取付台３００と取付中間部材３１０について説明する。取付台３００は、導電性の合成樹脂（金属でもよい）によって形成された長方形板からなり、その基板中央には断面逆Ｌ字状をなす一対の係合レール３０１が所定間隔を置いて条設されている。なお、係合レール３０１の条設方向は、取付台３００の長辺部に沿った左右方向となっている。取付台３００の各長辺部には、基板面に対して直交するガイド片３０２が突設されている。取付台３００の右側端部には、弾性変形する解除レバー３０３が形成されており、該解除レバー３０３の基部には、取付中間部材３１０の係合凹部３１３と係合する係合突起３０４が突設されている。また、取付台３００の基板面には、機構板１１０側の取付ボス（図示しない）に取付台３００をビス止めするための止め穴３０５が穿設されている。しかして、上記した取付台３００は、止め穴３０５を介して機構板１１０にビス止めされることで機構板１１０上の所定部位に固定される。
【０１１９】
また、取付中間部材３１０は、導電性の合成樹脂によって形成された長方形板からなり、その裏面の周囲に補強リブ３１１が周設されている。補強リブ３１１は、周囲だけではなくやや内側寄りにも長手方向に沿って一対突設形成されており、その一部から取付台３００の前記係合レール３０１に係合する係合片３１２が一体的に形成されている。また、取付中間部材３１０の一側短辺のほぼ中央には、取付台３００の前記係合突起３０４と係合する係合凹部３１３が形成されている。更に、取付中間部材３１０には、主基板ボックス３２０を取り付けるための係合突片３１４、Ｌ字状係合片３１５、嵌合凹部３１６が形成されている。係合突片３１４は、取付中間部材３１０の長辺下部に一対形成され、主基板ボックス３２０の後述する係合穴３４６に挿入されるものであり、Ｌ字状係合片３１５は、取付中間部材３１０の両短辺側上下に形成され、主基板ボックス３２０の後述する係合突片３４７に係合されるもので、嵌合凹部３１６は、取付中間部材３１０の長辺上部中央に形成されるものであり、主基板ボックス３２０の後述する嵌合凸部３４８が嵌合されるものである。しかして、主基板ボックス３２０を取付中間部材３１０に取り付けるには、主基板ボックス３２０に対して取付中間部材３１０を上方から係合突片３１４が係合穴３４６に係合し且つＬ字状係合片３１５が係合突片３４７に係合するように擦り合わせ、係合凸部３４８が取付中間部材３１０の上部長辺中央に当接したときに更に強く取付中間部材３１０を下方に押し付けることにより、取付中間部材３１０のほぼ中央部分が湾曲変形して嵌合凸部３４８が嵌合凹部３１６に嵌合させる（嵌合するまで取付中間部材３１０が嵌合凸部３４８を中心に湾曲変形している状態で組み付ける）。これによって主基板ボックス３２０を取付中間部材３１０に装着することができる。逆に、取り外す場合には、取付中間部材３１０の上部中央部分を後方に押し広げて湾曲させて嵌合凸部３４８と嵌合凹部３１６との嵌合を解除した状態で主基板ボックス３２０を取付中間部材３１０に対して下方に引き下げることにより簡単に取り外すことができる。
【０１２０】
しかして、上記のように主基板ボックス３２０を取り付けた取付中間部材３１０を機構板１１０の裏面に止着固定される取付台３００に取り付けるときには、取付台３００に対して主基板ボックス３２０を左側方からスライド装着させる。このとき、取付台３００側の係合レール３０１は、主基板ボックス３２０側の係合片３１２と係合した状態にあり、ガイド片３０２は、主基板ボックス３２０のスライド移動を案内する。そして、このような主基板ボックス３２０のスライド移動によって取付台３００側の解除レバー３０３が下方に弾性変形し、遂には、主基板ボックス３２０側の係合凹部３１３が取付台３００側の係合突起３０４と係合して主基板ボックス３２０の装着が完了する。一方、主基板ボックス３２０を取付台３００から取り外すときには、解除レバー３０３を下方に押して係合凹部３１３と係合突起３０４との係合を解除し、この状態から主基板ボックス３２０を左側方にスライドさせることで簡単に取り外すことができる。即ち、主基板ボックス３２０は、機構板１１０にビス止め固定された取付台３００に対して着脱自在な構成となっている。
【０１２１】
ところで、取付中間部材３１０を介して取付台３００に装着される主基板ボックス３２０は、図１３に示すように、複数の被覆部材を組み付けることにより構成されており、その複数の被覆部材として、回路基板としての主基板３２１の裏面を被覆し且つ主基板３２１を支持する取付主体としてのボックス状主体３３０と、該ボックス状主体３３０に被覆支持される主基板３２１の電子部品実装領域（表面）を少なくとも被覆する蓋体としてのカバー体３５０と、から構成されている。そして、ボックス状主体３３０とカバー体３５０は、すべて内部が視認し得る非導電性の透明合成樹脂で形成されている。以下、主基板ボックス３２０を構成する各被覆部材（ボックス状主体３３０，カバー体３５０）と主基板３２１について詳細に説明する。
【０１２２】
まず、ボックス状主体３３０について図１３を参照して詳細に説明する。図１３において、ボックス状主体３３０は、上面が開放した横長直方体状に形成され、その底面板３３１の内側（上面）の下部左隅角部を除く三隅のやや内側には、主基板３２１を止着支持するための位置決め突起３３２と取付ボス３３３が突設されている。位置決め突起３３２は、底面板３３１の一方の対角線端部の右上隅角部に１つ突設され、取付ボス３３３は、他方の対角線端部に２つ突設され、その中心に取付穴が形成されている。しかして、位置決め突起３３２には、主基板３２１の一方の対角隅角部に形成される位置決め長穴３８０が嵌合され、取付ボス３３３には、主基板３２１の他方の対角隅角部に形成される取付長穴３８２が対応せしめられて後述するようにワッシャ３８３を介してビス３８４によって止着されるようになっている。ただし、主基板３２１を上記のようにして止着したときには、ボックス状主体３３０の側壁内周に主基板３２１の裏面（ハンダ面）を支持する支持突起３３４が適宜間隔を置いて複数形成されている。
【０１２３】
また、ボックス状主体３３０の短辺両側壁の上部に固着部としての取付片部３３５が形成され、その取付片部３３５に複数の止着穴３３６ａ，３３６ｂ〜３３９ａ，３３９ｂと予備ネジ挿通穴３４０ａ，３４０ｂ〜３４２ａ，３４２ｂが交互に形成されている。この取付片部３３５の止着穴３３６ａ，３３６ｂ〜３３９ａ，３３９ｂは、カバー体３５０と分離できないように後述するワンウェイネジ３６４で止着するためのものであり、予備ネジ挿通穴３４０ａ，３４０ｂ〜３４２ａ，３４２ｂは、予備のワンウェイネジ３６４を挿通保持するための穴である。更に、取付片部３３５の上下には、係合部としての上部挿通係止穴３４５と第１下部挿通係止穴３４３とが形成され、第１下部挿通係止穴３４３に連続するボックス状主体３３０の下側側壁にも第２下部挿通係止穴３４４が形成されている。上部挿通係止穴３４５は、ほぼ正方形状の開口であるが、第１下部挿通係止穴３４３及び第２下部連通係止穴３４４は、開口形状がＬ字状となっている。なお、上部挿通係止穴３４５と第１下部挿通係止穴３４３及び第２下部連通係止穴３４４は、カバー体３５０を横方向にスライドさせ係合するようにするためのものである。また、ボックス状主体３３０は、その下側側壁が底面板３３１よりも外側に突設され、その突設片に取付中間部材３１０の前記係合突片３１４と係合する係合穴３４６が形成され、底面板３３１裏面の上部長辺ほぼ中央に前記嵌合凹部３１６と嵌合する嵌合凸部３４８が後方に向かって突設され、両短辺側壁の上下外側に前記Ｌ字状係合片３１５と係合する係合突片３４７が突設形成されている。係合突片３４７は、Ｌ字状係合片３１５が短辺側壁との間に挿入されるように係合突片３４７と短辺側壁との間に挿入溝３４７ａが形成されるように突設されている。
【０１２４】
上記のように構成されるボックス状主体３３０に装着される主基板３２１は、図１３に示すように、横長な長方形状のプリント配線基板によって構成されており、その上面の大部分はＲＯＭ３８５やＣＰＵ３８６、トランジスタ、抵抗等の電子部品を実装する電子部品実装領域として形成される一方、上部長手方向の領域が複数のコネクタ３２１ａを実装するコネクタ実装領域として形成されている。また、主基板３２１には、その左下隅角部を除く三隅に位置決め長穴３８０と取付長穴３８２が形成され、前述したようにボックス状主体３３０の底面板３３１の内側三隅に突設される位置決め突起３３２と取付ボス３３３に係合又はビス３８４でスライドできるように止着されるようになっている。また、主基板３２１の左下隅角部には、係合穴３８１が穿設され、カバー体３５０の後述する挿通突起３６８の先端が係合されるものである。この係合穴３８１と挿通突起３６８との作用については、後に詳述する。
【０１２５】
次に、上記のようにボックス状主体３３０に支持された主基板３２１の実装面側を覆う蓋体としてのカバー体３５０について図１３を参照して説明する。カバー体３５０は、下方が開放した横長ボックス状に形成され、図示横方向の上壁板３５１及び上面板に放熱穴３５４が形成されている。また、上壁板３５１には、開口としてのコネクタ貫通穴３５３が形成された覆板としてのパターン被覆板３５２が上方に向かって突設されている。コネクタ貫通穴３５３は、主基板３２１に実装される複数のコネクタ３２１ａのそれぞれの大きさとほぼ同じ大きさでそれぞれ形成されているため、コネクタ貫通穴３５３からは複数のコネクタ３２１ａのみが貫通して複数のコネクタ３２１ａ周辺は、パターン被覆板３５２により被覆される。これにより、複数のコネクタ３２１ａ周辺の配線パターンを完全に覆った状態となり、このため、複数のコネクタ３２１ａ周辺の配線パターンに不正な配線のハンダ付け等を行うことを防止することができると共に、主基板３２１とカバー体３５０との間から配線を含む異物を挿入することができず、いずれにしても主基板３２１に対する不正な行為が行えないようになっている。また、カバー体３５０の上面板には、上記したように上下に放熱穴３５４が形成されると共に、その間に機種名シールを貼付する機種名シール貼付部３５５と主基板３２１を検査した際に書き込む「検査者」「検査日」の各項目を記した履歴シールを貼付する履歴シール貼付部３５６が形成されている。
【０１２６】
一方、カバー体３５０の図示縦方向の左右の側壁板の上下端には、上部Ｌ字状係止片３６６と下部Ｌ字状係止片３６５とが下方に向かって突設されている。上部Ｌ字状係止片３６６は、その下端の折曲方向が図１３において右側に曲折されているだけであり、下部Ｌ字状係止片３６５は、その下端の折曲方向が図１３において下方向に曲折されていると共に、図１４及び図１５に示すように、垂下片の一側端面に側板部３６５ｂが一体的に形成され、その側板部３６５ｂのほぼ中程に下端の折曲部３６５ａと平行状となるように当接部３６５ｃが一体的に突設されている。そして、この上部Ｌ字状係止片３６６と下部Ｌ字状係止片３６５とは、ボックス状主体３３０の前記上部挿通係止穴３４５と第１下部挿通係止穴３４３及び第２下部挿通係止穴３４４と係合するものである。なお、左側の下部Ｌ字状係止片３６５の近傍には、主基板３２１の前記係合穴３８１に係合する挿通突起３６８と主基板３２１の上面に当接する補強押えボス３６７とが下方に向かって突設されている。
【０１２７】
しかして、上部Ｌ字状係止片３６６と下部Ｌ字状係止片３６５と上部挿通係止穴３４５と第１下部挿通係止穴３４３及び第２株挿通係止穴３４４との係合手順について図１４及び図１５を参照して説明すると、図１４（Ａ）に示すように、カバー体３５０を垂直状に立てた状態で下部Ｌ字状係止片３６５の折曲部３６５ａを第１下部挿通係止穴３４３に挿入し、その状態で図１４（Ｂ）に示すようにカバー体３５０を反時計方向に回動する。すると、図１４（Ｃ）に示すように、折曲部３６５ａが下部側壁に形成される第２下部挿通係止穴３４４に挿入されながら回動されることとなり、パターン被覆板３５２のコネクタ貫通穴３５３がコネクタ３２１ａの上端に対応する位置になる。そして、更に、そのまま反時計方向に回動しながら９０度回転した状態で落とし込むと、図示しないが上部Ｌ字状係止片３６６が上部挿通係止穴３４５に挿通されると共に、図１４（Ｄ）に示すように、コネクタ貫通穴３５３にコネクタ３２１ａが貫通してパターン被覆板３５２が主基板３２１の上面に当接した状態となる。
【０１２８】
この状態では、図１５（Ａ）に示すように、ボックス状主体３３０とカバー体３５０とは、ずれた状態、即ち、カバー体３５０がボックス状主体３３０に対して左方向に突出した状態となっている。また、この突出した状態においては、カバー体３５０の裏面に突設される挿通突起３６８の先端が係合穴３８１に係合した状態となり、且つ補強押えボス３６７が主基板３２１の上面に当接した状態となっている。このような状態から図１５（Ｂ）に示すように、カバー体３５０を右方向にスライドさせると、下部Ｌ字状係止片３６５の垂下部が第１挿通係止溝３４３の溝巾の狭い部分に入り込み且つ折曲片３６５ａが第２挿通係止穴３４４の溝巾の狭い部分に入り込み更に当接部３６５ｃが第１下部挿通係止穴３４３の内側直角部裏面に当接した状態となる。このとき、挿通突起３６８が主基板３２１の係合穴３８１に係合しているので、主基板３２１も同一方向にスライド移動する。逆にカバー体３５０をボックス状主体３３０から取り外す場合には、カバー体３５０をまず左方向にスライドさせた後、カバー体３５０のパターン被覆板３５２側を上方に持ち上げて時計方向に回動させ、さらに持ち上げることにより、簡単に取り外すことができる。ただし、カバー体３５０をボックス状主体３３０から分離できる前提として後述する固定筒部３５７ａ，３５７ｂ〜３６０ａ，３６０ｂと前記取付片部３３５の止着穴３３６ａ，３３６ｂ〜３３９ａ，３３９ｂとの間のワンウェイネジ３６４による止着状態が解除（言い換えれば、コ字状切断部３６１が切断されていること）されていることが必要である。
【０１２９】
また、カバー体３５０の上記した上部Ｌ字状係止片３６６と下部Ｌ字状係止片３６５との間には、固着部としての複数（４つ）の固定筒部３５７ａ，３５７ｂ〜３６０ａ，３６０ｂが突設形成されている。この固定筒部３５７ａ，３５７ｂ〜３６０ａ，３６０ｂは、ボックス状主体３３０と分離できないように後述するワンウェイネジ３６４を挿通するための挿通穴３６２を有するもので、その挿通穴３６２がボックス状主体３３０の前記取付片部３３５の止着穴３３６ａ，３３６ｂ〜３３９ａ〜３３９ｂに対応するものである。より詳細には、図１３に示すようにカバー体３５０の上面から突設されるブリッジ状のコ字状切断部３６１の先端に挿通穴３６２と予備ネジ覆板部３６３とが形成されるＬ字状の部材が一体的に形成されたものである。コ字状切断部３６１の延長線状に形成される挿通穴３６２は、ボックス状主体３３０とカバー体３５０とを固着する固着手段としてのワンウェイネジ３６４を挿通するための穴であり、ワンウェイネジ３６４を挿通したときにその頭部が突出しないように挿通穴３６２の上端部分が凹部となっている。また、挿通穴３６２の側方に位置する予備ネジ覆板部３６３は、前記予備ネジ挿通穴３４０ａ，３４０ｂ〜３４２ａ，３４２ｂに挿通されている予備のワンウェイネジ３６４の上部を覆うための板である。
【０１３０】
なお、挿通穴３６２と予備ネジ覆板部３６３とが形成される固定筒部は、４つのうち、下３つの固定筒部３５８ａ，３５８ｂ〜３６０ａ，３６０ｂであり、最上部の１つの固定片部３５７ａ，３５７ｂには、挿通穴３６２だけが形成されている。したがって、固定片部３５７ａ，３５７ｂのコ字状切断部３６１の先端には、挿通穴３６２が形成される筒状部材だけが一体的に形成されていることになる。また、カバー体３５０の上面板部には、固定筒部３５７ａ，３５７ｂのコ字状切断部３６１の近傍に「１」という刻印（図示しない）が形成され、固定筒部３５８ａ，３５８ｂのコ字状切断部３６１の近傍に「２」という刻印が形成され、固定筒部３５９ａ，３５９ｂのコ字状切断部３６１の近傍に「３」という刻印が形成され、固定筒部３６０ａ，３６０ｂのコ字状切断部３６１の近傍に「４」という刻印が形成されている。
【０１３１】
上記のように構成されるカバー体３５０の固定筒部３５７ａ，３５７ｂ〜３６０ａ，３６０ｂとボックス状主体３３０の取付片部３３５の止着穴３３６ａ〜３３６ｂ〜３３９ａ，３３９ｂとの作用について説明する。まず、弾球遊技機１の出荷段階においては、固定筒部３５７ａ，３５７ｂにワンウェイネジ３６４を挿入して取付片部３３５の止着穴３３６ａ，３３６ｂに螺着することにより、カバー体３５０をボックス状主体３３０に固定する作業を終了している。なお、出荷時には、紫外線硬化樹脂によってワンウェイネジ３６４の頭部を覆うようにして出荷しても良い。
【０１３２】
次に、遊技場等で主基板ボックス３２０を主基板３２１の検査（出荷納入後にＲＯＭが正規のものか否かを検査する）のために開放し、その後再度閉塞状態に復元する手順を説明する。先ず、主基板ボックス３２０の閉塞状態において、刻印「１」の目印のコ字状切断部３６１をニッパー等の切断工具で切断する。これにより、固定筒部３５７ａ，３５７ｂは、カバー体３５０から完全に分離された状態となる。このため、前述したようにカバー体３５０の上部Ｌ字状係止片３６６及び下部Ｌ字状係止片３６５とボックス状主体３３０の上部挿通係止穴３４５及び下部挿通係止穴３４３，３４４との係合を解除することにより、主基板ボックス３２０が開放され、主基板３２１の検査を行うことができる。また、このようなカバー体３５０の取り外し（コ字状切断部３６１の切断）によって、各予備ネジ挿通穴３４０ａ，３４０ｂ〜３４２ａ〜３４２ｂに挿通されたワンウェイネジ３６４は、取り出し可能な状態となり、このうち取付片部３３５の予備ネジ挿通穴３４０ａ，３４０ｂに挿通された予備のワンウェイネジ３６４を主基板ボックス３２０の復元用に取り出す。その後、主基板ボックス３２０を前述したよう手順に従って閉塞した後に、取り出したワンウェイネジ３６４を刻印「２」を目印に固定筒部３５８ａ，３５８ｂの挿通穴３６２に挿通して取付片部３３５の止着穴３３７ａ，３３７ｂに螺着することにより、主基板ボックス３２０が再度閉塞状態に復元される。以下、同様にして複数回（本実施形態の場合には、４回だが、４回目は、ワンウェイネジ３６４で止めることができないので、実質的には３回）の再検査を行うことができるものである。
【０１３３】
ところで、上記した主基板ボックス３２０の閉塞状態においては、主基板ボックス３２０の所定の部位（本実施形態の場合にはコ字状切断部３６１）を切断しない限り、主基板ボックス３２０が開放できないようになっている。従って、主基板３２１の検査以外でコ字状切断部３６１が切断されるような場合は、この切断により主基板３２１に不正が行われたことが即座に且つ確実に判別できるため、主基板ボックス３２０の防犯効果を高めることができる。
【０１３４】
なお、上方が開放されたボックス状主体３３０と下方が開放されたカバー体３５０を上記したように閉塞した状態においては、ボックス状主体３３０の全周側壁とカバー体３５０の全周側壁とが側方から見て重畳するように、カバー体３５０の内側には、上壁板３５１側を除いて防犯リブ３６９が下方に向かって突設され、更に長辺下部端辺側に外周リブ３７０が突設されている。なお、パターン被覆板３５２側においても図１４（Ｄ）に示すように、側方から見てボックス状主体３３０と上壁板３５１とが重畳するようになっている。このことは、側方から見てボックス状主体３３０とカバー体３５０との間に隙間が形成されていないということを意味し、ボックス状主体３３０とカバー体３５０との間に隙間が生じるのは、カバー体３５０の背面側から見たとき（図１３の右から左方向に見たとき）であり、この場合、主基板３２１に対して垂直方向となるため、仮にボックス状主体３３０とカバー体３５０との隙間から細い針金状の異物を挿入しようとしても、その異物を直角に折り曲げなければ主基板３２１の内部に実装される電子部品に到達することができないので、本実施形態のような主基板ボックス３２０は、不正行為を行い難いという利点がある。
【０１３５】
以上、第二実施形態に係る主基板ボックス３２０について詳細に説明してきたが、本実施形態によれば、主基板３２１（回路基板）の裏面を被覆し且つ該主基板３２１（回路基板）を支持する透明合成樹脂製のボックス状主体３３０（取付主体）と、該ボックス状主体３３０（取付主体）に対して前記主基板３２１（回路基板）の表面を被覆するように取り付けられる透明合成樹脂製のカバー体３５０（蓋体）とからなる主基板ボックス３２０（基板収容ボックス）を備えた弾球遊技機１（遊技機）において、前記カバー体３５０（蓋体）には、前記主基板３２１（回路基板）の表面に実装されるコネクタ実装領域を覆い且つ複数のコネクタ３２１ａに対応する部分に複数のコネクタ３２１ａを貫通させるコネクタ貫通穴３５３（開口）を形成したパターン被覆板３５２（覆板）を一体形成し、前記ボックス状主体３３０（取付主体）と前記カバー体３５０（蓋体）には、横方向にスライドさせることにより前記コネクタ貫通穴３５３（開口）に複数のコネクタ３２１ａを貫通させ得る状態で係合するようになる下部挿通係止穴３４３，３４４及び上部挿通係止穴３４５、下部Ｌ字状係止片３６５及び上部Ｌ字状係止片３６６（係合部）を相互に形成すると共に、その係合させた状態で一部を破壊しない限り係合状態を解除できないワンウェイネジ３６４（固着手段）で前記ボックス状主体３３０（取付主体）と前記カバー体３５０（蓋体）とを固着する止着穴３３６ａ，３３６ｂ〜３３９ａ，３３９ｂ、固定筒部３５７ａ，３５７ｂ〜３６０ａ，３６０ｂ（固着部）を形成したことにより、ボックス状主体３３０（取付主体）とカバー体３５０（蓋体）とを組み付けるだけでコネクタ実装領域の配線パターン部分がカバー体３５０（蓋体）に一体形成されるパターン被覆板３５２（覆板）によって被覆されて不正な配線接続を防止し、しかもボックス状主体３３０（取付主体）とカバー体３５０（蓋体）との組付けは、予め下部挿通係止穴３４３，３４４及び上部挿通係止穴３４５、下部Ｌ字状係止片３６５及び上部Ｌ字状係止片３６６（係合部）で係合させているので、最終的に止着穴３３６ａ，３３６ｂ〜３３９ａ，３３９ｂ、固定筒部３５７ａ，３５７ｂ〜３６０ａ，３６０ｂ（固着部）に固着されるワンウェイネジ３６４（固着手段）だけで組み付けれるため、組付け作業が容易であり、更に、複数のコネクタ３２１ａがパターン被覆板３５２（覆板）のコネクタ貫通穴３５３（開口）から外部に露出しているので、主基板３２１（回路基板）に対する配線の接続・取り外しを極めて簡単に行うことができる。また、一部を破壊しない限り係合状態を解除できないワンウェイネジ３６４（固着手段）でボックス状主体３３０（取付主体）とカバー体３５０（蓋体）とを固着する止着穴３３６ａ，３３６ｂ〜３３９ａ，３３９ｂ、固定筒部３５７ａ，３５７ｂ〜３６０ａ，３６０ｂ（固着部）を形成したので、不正な配線接続等の不正行為を行うには、主基板ボックス３２０（基板収容ボックス）の一部を破壊しなければならないが、破壊したときには、その痕跡が残るため、簡単に係合状態を解除することはできず、この点から見ても不正行為を確実に防止することができる。
【０１３６】
また、第二実施形態においては、前記下部挿通係止穴３４３，３４４及び上部挿通係止穴３４５、下部Ｌ字状係止片３６５及び上部Ｌ字状係止片３６６（係合部）は、前記パターン被覆板３５２（覆板）のコネクタ貫通穴３５３（開口）に前記コネクタ３２１ａが貫通している状態で前記カバー体３５０（蓋体）を前記ボックス状主体３３０（取付主体）に対して横方向にスライドさせたときに前記主基板３２１（回路基板）も同一方向にスライドして係合するようになる構造とすることにより、コネクタ３２１ａの外形形状に合致したコネクタ貫通穴３５３（開口）をコネクタ３２１ａに貫通させた状態でボックス状主体３３０（取付主体）とカバー体３５０（蓋体）とを係合させることができ、コネクタ貫通穴３５３（開口）とコネクタ３２１ａとの間の隙間から不正な配線を接続することができない。なお、主基板３２１全体がスライド移動しなくてもコネクタ３２１ａだけがカバー体３５０のスライドに対応して移動するようにしても良い。この場合には、主基板３２１をボックス状主体３３０に支持固定しその固定した主基板３２１とコネクタ３２１ａとをフレキシブルな配線で接続しておけば良い。
【０１３７】
更に、第二実施形態においては、前記ボックス状主体３３０（取付主体）と前記カバー体３５０（蓋体）とで前記主基板３２１（回路基板）を被覆した状態においては、全外周の側面から見て前記ボックス状主体３３０（取付主体）の外周側壁と前記カバー体３５０（蓋体）の外周側壁とが重畳するようになっていることにより、内部に収容される主基板３２１（回路基板）と平行方向からボックス状主体３３０（取付主体）とカバー体３５０（蓋体）との隙間に異物を挿入することができないため、不正行為を防止することができる。
【０１３８】
以上、本発明の２つの実施形態に係る主基板ボックス１８０，３２０について説明してきたが、上記した２つの実施形態においては、基板収容ボックスとして、遊技動作を制御する主基板１８１，３２１を収容するものを示したが、他の制御基板、例えば、電飾制御基板ボックス１００、効果音制御基板ボックス１０２、払出制御基板ボックス１５０、電源ユニットボックス１６８等に本発明の構成を適用しても良い。また、基板収容ボックスは、取付主体と蓋体とでコネクタ以外の回路基板の全域（例えば、電子部品の実装面、ハンダ面、コネクタのパターン面）を覆うものであれば良く、例えば、コネクタ貫通穴のクリアランスや放熱穴との極めて小さな開口が形成されていても良い。したがって、コネクタ以外のグランドラインの一部やパターンが形成されていない基板の一部が多少ボックスから外部に露出していても、肝心のデータ線のパターンや実装部品が露出していなければ良い。なお、基板収容ボックスに収容される回路基板に設けられるコネクタの数も単数でも複数でも良い。また、上記実施形態においては、固着手段としてワンウェイネジを例示して説明したが、その他の固着手段、例えば、リベット締め、破断ネジ、溶着、接着等でも良い。また、係合部や固着部の数も実施形態に限定されるものではなく、単数でも複数でも良い。ただし、係合部をなるべく複数設け、固着部を少なくした方が組付け作業の簡略化を図ることができる上で望ましい。特に、本実施形態のように、基板収容ボックスが四角形状の場合には、係合部を四隅に設けた方が不正行為を防止するという目的から見て望ましい。また、固着部は、少ない程望ましいものの、１か所よりも２か所設けた方がセキュリティが高くなるという利点がある。更に、上記した実施形態においては、検査のために１回開放しても複数回固着できるものを例示して説明したが、１回だけ固着するものでも良い。本発明が適用される遊技機として弾球遊技機１を例示したが、他の遊技機、例えば、スロットマシン、テレビゲーム機等の他の遊技機であっても良い。
【０１３９】
【発明の効果】
以上、説明したところから明らかなように、請求項１の発明においては、回路基板の裏面を被覆し且つ該回路基板を支持する透明合成樹脂製の取付主体と、該取付主体に対して前記回路基板の表面を被覆するように取り付けられる透明合成樹脂製の蓋体とからなる基板収容ボックスを備えた遊技機において、前記蓋体には、前記回路基板の表面に実装されるコネクタ実装領域を覆い且つコネクタに対応する部分にコネクタを貫通させる開口を形成した覆板を一体形成し、前記取付主体と前記蓋体には、前記覆板の開口が前記コネクタの上方位置を保持した状態で前記蓋体を前記取付主体に対して横方向にスライドさせた後、前記コネクタが前記開口を貫通するように前記蓋体を前記取付主体に近接するように移動させることにより係合するようになる係合部を相互に形成すると共に、その係合させた状態で一部を破壊しない限り係合状態を解除できない固着手段で前記取付主体と前記蓋体とを固着する固着部を形成したことを特徴とするものである。このように構成することにより、取付主体と蓋体とを組み付けるだけでコネクタ実装領域の配線パターン部分が蓋体に一体形成される覆板によって被覆されて不正な配線接続を防止し、しかも取付主体と蓋体との組付けは、予め係合部で係合させているので、最終的に固着部に固着される固着手段だけで組み付けれるため、組付け作業が容易であり、更に、コネクタが覆板の開口から外部に露出しているので、回路基板に対する配線の接続・取り外しを極めて簡単に行うことができる。また、一部を破壊しない限り係合状態を解除できない固着手段で取付主体と蓋体とを固着する固着部を形成したので、不正な配線接続等の不正行為を行うには、基板収容ボックスの一部を破壊しなければならないが、破壊したときには、その痕跡が残るため、簡単に係合状態を解除することはできず、この点から見ても不正行為を確実に防止することができる。
【０１４０】
また、係合部は、覆板の開口がコネクタの上方位置を保持した状態で蓋体を取付主体に対して横方向にスライドさせた後、コネクタが開口を貫通するように蓋体を取付主体に近接するように移動させることにより係合するようになる構造とすることにより、コネクタの外形形状に合致した開口をコネクタに貫通させながら取付主体と蓋体とを係合させることができ、開口とコネクタとの間の隙間から不正な配線を接続することができない。
【０１４２】
更に、請求項２の発明においては、前記取付主体と前記蓋体とで前記回路基板を被覆した状態においては、全外周の側面から見て前記取付主体の外周側壁と前記蓋体の外周側壁とが重畳するようになっていることにより、内部に収容される回路基板と平行方向から取付主体と蓋体との隙間に異物を挿入することができないため、不正行為を防止することができる。
【図面の簡単な説明】
【図１】実施形態に係る遊技機の一例としての弾球遊技機の正面図である。
【図２】弾球遊技機の背面図である。
【図３】遊技盤の拡大正面図である。
【図４】弾球遊技機における各制御基板と中継基板との接続関係を示す配線図である。
【図５】主基板と各種制御基板及び電気部品との関係を示すブロック図である。
【図６】払出制御基板と各種制御基板及び電気部品との関係を示すブロック図である。
【図７】機構板の下部構成部の背面から見て左側部分に取り付けられる電源ユニット及び主基板ボックスの取付状態を示す斜視図である。
【図８】第一実施形態にかかる主基板ボックスの分解斜視図である。
【図９】主基板ボックスを構成するボックス状主体とカバー体との係合を説明するための断面図である。
【図１０】主基板ボックスを構成するボックス状主体とカバー体とを止着する構造を示す平面図（Ａ，Ｂ，Ｄ）と断面図（Ｃ）である。
【図１１】（Ａ，Ｂ）は、ワンウェイネジの構造を説明するための説明図であり、（Ｃ，Ｄ）は、ワンウェイネジを締着するための特殊マイナスドライバーの構造を説明するための説明図である。
【図１２】第二実施形態に係る主基板ボックスを弾球遊技機の裏面に取り付けられる取付台に係合する状態を示す斜視図である。
【図１３】第二実施形態にかかる主基板ボックスの分解斜視図である。
【図１４】主基板ボックスを構成するボックス状主体とカバー体との係合を説明するための断面図である。
【図１５】主基板ボックスを構成するボックス状主体とカバー体との係合を説明するための側面図である。
【符号の説明】
１  弾球遊技機（遊技機）
１８０  主基板ボックス（基板収容ボックス）
１８１  主基板（回路基板）
１９０  ボックス状主体（取付主体）
１９５  係合段差溝（係合部）
１９５ａ  第１段差溝
１９５ｂ  第２段差溝
１９６ａ，１９６ｂ〜１９９ａ，１９９ｂ  取付片部（固着部）
２０２  切断リブ
２１０  カバー体（蓋体）
２１２  パターン被覆板（覆板）
２１３  コネクタ貫通穴（開口）
２１７  係合突片（係合部）
２１７ａ  水平片
２１７ｂ  垂直片
２１８ａ，２１８ｂ〜２２１ａ，２２１ｂ  固定片部（固着部）
２２６  切断リブ
２２７  ワンウェイネジ（固着手段）
２５０  取付台
３００  取付台
３１０  取付中間部材
３２０  主基板ボックス（基板収容ボックス）
３２１  主基板（回路基板）
３３０  ボックス状主体（取付主体）
３３５  取付片部
３３６ａ，３３６ｂ〜３３９ａ，３３９ｂ  止着穴（固着部）
３４３  第１下部挿通係止穴（係合部）
３４４  第２下部挿通係止穴（係合部）
３４５  上部挿通係止穴（係合部）
３５０  カバー体（蓋体）
３５２  パターン被覆板（覆板）
３５３  コネクタ貫通穴（開口）
３５７ａ，３５７ｂ〜３６０ａ，３６０ｂ  固定筒部（固着部）
３６１  コ字状切断部
３６４  ワンウェイネジ（固着手段）
３６５  下部Ｌ字状係止片（係合部）
３６５ａ  折曲部
３６５ｂ  側板部
３６５ｃ  当接部
３６６  上部Ｌ字状係止片（係合部）
【図１】
0004412753.tif 000002
【図２】
0004412753.tif 000003
【図３】
0004412753.tif 000004
【図４】
0004412753.tif 000005
【図５】
0004412753.tif 000006
【図６】
0004412753.tif 000007
【図７】
0004412753.tif 000008
【図８】
0004412753.tif 000009
【図９】
0004412753.tif 000010
【図１０】
0004412753.tif 000011
【図１１】
0004412753.tif 000012
【図１２】
0004412753.tif 000013
【図１３】
0004412753.tif 000014
【図１４】
0004412753.tif 000015
【図１５】
0004412753.tif 000016